(57)【要約】本明細書では、無線ネットワークにおいて、ピア発見を実行するための技術が記載されている。デバイスは、対象とする他のデバイスの検出および識別を行うために、ピア発見を実行しうる。デバイスは、自律的なピア発見と、ネットワークによって支援されたピア発見と、を含むハイブリッド・モードに基づいて、ピア発見を実行しうる。別の態様では、デバイスは、プッシュ・モードおよびプル・モードに基づいて、ピア発見を実行しうる。プッシュ・モードの場合、デバイスは時折、ピア検出信号を送信および／または受信しうる。プル・モードの場合、デバイスは、トリガされた場合に、ピア発見要求を送信および／または受信しうる。また別の態様では、デバイスは、（例えば、プル・モードの場合）イベントによってトリガされたピア発見を実行しうる。また別の態様では、デバイスは、ダウンリンク・スペクトルとアップリンク・スペクトルとの両方を用いて、ピア発見を実行しうる。また別の態様では、デバイスは、検出の向上、および／または、ペイロードの増加を行う方式で、ピア検出信号を送信しうる。
2013539615.tif 000002
【特許請求の範囲】
【請求項１】
無線通信のための方法であって、
デバイスによって第１のピア発見を自律的に実行することと、
前記デバイスによって、ネットワーク支援を用いて、第２のピア発見を実行することと、
を備える方法。
【請求項２】
前記第１のピア発見を実行することは、前記デバイスを少なくとも１つの別のデバイスが検出できるようにするために、前記デバイスによって、時折、ピア検出信号を送信することを備える、請求項１に記載の方法。
【請求項３】
前記第１のピア発見を実行することは、前記デバイスによって、少なくとも１つの別のデバイスからのピア検出信号を時折検出することを備える、請求項１に記載の方法。
【請求項４】
前記第２のピア発見を実行することは、
前記デバイスによってディレクトリ・エージェントに登録することと、
前記ディレクトリ・エージェントによって通知された場合、前記第２のピア発見を実行することと
を備える、請求項１に記載の方法。
【請求項５】
前記第２のピア発見を実行することはさらに、
前記デバイスによって要求または提供されるサービスを示す情報を、前記ディレクトリ・エージェントへ送信することと、
前記デバイスと、少なくとも１つの別のデバイスとの間のマッチングの通知を、前記ディレクトリ・エージェントから受信することと、
前記マッチングの通知を前記ディレクトリ・エージェントから受信することに応じて、前記第２のピア発見を実行することと
を備える、請求項４に記載の方法。
【請求項６】
前記第２のピア発見を実行することは、
少なくとも１つの別のデバイスからピア発見要求を受信することと、
前記ピア発見要求に対する応答を、無線ネットワークを介して送信することと
を備える、請求項１に記載の方法。
【請求項７】
無線通信のための装置であって、
デバイスによって第１のピア発見を自律的に実行する手段と、
前記デバイスによって、ネットワーク支援を用いて、第２のピア発見を実行する手段と、
を備える装置。
【請求項８】
前記第１のピア発見を実行する手段は、前記デバイスを少なくとも１つの別のデバイスが検出できるようにするために、前記デバイスによって、時折、ピア検出信号を送信する手段を備える、請求項７に記載の装置。
【請求項９】
前記第１のピア発見を実行する手段は、前記デバイスによって、少なくとも１つの別のデバイスからのピア検出信号を、時折検出する手段を備える、請求項７に記載の装置。
【請求項１０】
前記第２のピア発見を実行する手段は、
前記デバイスによってディレクトリ・エージェントに登録する手段と、
前記ディレクトリ・エージェントによって通知された場合、前記第２のピア発見を実行する手段と
を備える、請求項７に記載の装置。
【請求項１１】
無線通信のための装置であって、
デバイスによって第１のピア発見を自律的に実行し、
前記デバイスによって、ネットワーク支援を用いて、第２のピア発見を実行する
ように構成された少なくとも１つのプロセッサ、
を備える装置。
【請求項１２】
前記少なくとも１つのプロセッサは、前記デバイスを少なくとも１つの別のデバイスが検出できるようにするために、前記デバイスによって、時折、ピア検出信号を送信するように構成された、請求項１１に記載の装置。
【請求項１３】
前記少なくとも１つのプロセッサは、前記デバイスによって、少なくとも１つの別のデバイスからのピア検出信号を、時折検出するように構成された、請求項１１に記載の装置。
【請求項１４】
前記少なくとも１つのプロセッサは、
前記デバイスによってディレクトリ・エージェントに登録し、
前記ディレクトリ・エージェントによって通知された場合、前記第２のピア発見を実行する
ように構成された、請求項１１に記載の装置。
【請求項１５】
コンピュータ・プログラム製品であって、
少なくとも１つのプロセッサに対して、デバイスによる第１のピア発見を自律的に実行させるためのコードと、
前記少なくとも１つのプロセッサに対して、前記デバイスによる、ネットワーク支援を用いた第２のピア発見を実行させるためのコードと
を備えるコンピュータ読取可能な媒体、を備えるコンピュータ・プログラム製品。
【請求項１６】
無線通信のための方法であって、
デバイスによって、プッシュ・モードに基づいて、第１のピア発見を実行することと、
前記デバイスによって、プル・モードに基づいて、第２のピア発見を実行することと、
を備える方法。
【請求項１７】
前記第１のピア発見を実行することは、前記デバイスを少なくとも１つの別のデバイスが検出できるようにするために、前記デバイスによって、時折、ピア検出信号を送信することを備える、請求項１６に記載の方法。
【請求項１８】
前記第１のピア発見を実行することは、前記デバイスによって、少なくとも１つの別のデバイスからのピア検出信号を、時折検出することを備える、請求項１６に記載の方法。
【請求項１９】
前記第２のピア発見を実行することは、
前記デバイスによってピア発見要求を送信することと、
前記ピア発見要求を送信した後、少なくとも１つの別のデバイスから、ピア検出信号またはピア発見応答を検出することと
を備える、請求項１６に記載の方法。
【請求項２０】
前記第２のピア発見を実行することは、
少なくとも１つの別のデバイスからピア発見要求を受信することと、
前記ピア発見要求に応じて、前記デバイスによってピア検出信号を送信することと
を備える、請求項１６に記載の方法。
【請求項２１】
前記第１のピア発見を実行することは、前記デバイスによって第１のレートでピア検出信号を送信することを備え、
前記第２のピア発見を実行することは、
少なくとも１つの別のデバイスからピア発見要求を受信することと、
前記ピア発見要求に応じて、前記デバイスによって、前記第１のレートよりも速いレートで、前記ピア検出信号を送信することと
を備える、請求項１６に記載の方法。
【請求項２２】
前記第２のピア発見を実行することは、
少なくとも１つの別のデバイスからピア発見要求を受信することと、
前記ピア発見要求に対する応答を、無線ネットワークを介して送信することと
を備える、請求項１６に記載の方法。
【請求項２３】
前記第１のピア発見と前記第２のピア発見とは、前記デバイスによって自律的に実行される、請求項１６に記載の方法。
【請求項２４】
前記第１のピア発見は、前記デバイスによって自律的に実行され、
前記第２のピア発見は、前記デバイスによって、ネットワーク支援を用いて実行される、
請求項１６に記載の方法。
【請求項２５】
前記第１のピア発見を実行することは、前記第１のピア発見を、ダウンリンク・スペクトルにおいて実行することを備え、
前記第２のピア発見を実行することは、前記第２のピア発見を、アップリンク・スペクトルにおいて実行することを備える、請求項１６に記載の方法。
【請求項２６】
無線通信のための装置であって、
デバイスによって、プッシュ・モードに基づいて、第１のピア発見を実行する手段と、
前記デバイスによって、プル・モードに基づいて、第２のピア発見を実行する手段と、
を備える装置。
【請求項２７】
前記第１のピア発見を実行する手段は、前記デバイスを少なくとも１つの別のデバイスが検出できるようにするために、前記デバイスによって、時折、ピア検出信号を送信する手段を備える、請求項２６に記載の装置。
【請求項２８】
前記第１のピア発見を実行する手段は、前記デバイスによって、少なくとも１つの別のデバイスからのピア検出信号を、時折検出する手段を備える、請求項２６に記載の装置。
【請求項２９】
前記第２のピア発見を実行する手段は、
前記デバイスによってピア発見要求を送信する手段と、
前記ピア発見要求を送信した後、少なくとも１つの別のデバイスから、ピア検出信号またはピア発見応答を検出する手段と
を備える、請求項２６に記載の装置。
【請求項３０】
前記第２のピア発見を実行する手段は、
少なくとも１つの別のデバイスからピア発見要求を受信する手段と、
前記ピア発見要求に応じて、前記デバイスによってピア検出信号を送信する手段と
を備える、請求項２６に記載の装置。
【請求項３１】
無線通信のための装置であって、
デバイスによって、プッシュ・モードに基づいて、第１のピア発見を実行し、
前記デバイスによって、プル・モードに基づいて、第２のピア発見を実行する
ように構成された少なくとも１つのプロセッサ、を備える装置。
【請求項３２】
前記少なくとも１つのプロセッサは、前記デバイスを少なくとも１つの別のデバイスが検出できるようにするために、前記デバイスによって、時折、ピア検出信号を送信するように構成された、請求項３１に記載の装置。
【請求項３３】
前記少なくとも１つのプロセッサは、前記デバイスによって、少なくとも１つの別のデバイスからのピア検出信号を、時折検出するように構成された、請求項３１に記載の装置。
【請求項３４】
前記少なくとも１つのプロセッサは、
前記デバイスによってピア発見要求を送信し、
前記ピア発見要求を送信した後、少なくとも１つの別のデバイスから、ピア検出信号またはピア発見応答を検出する
ように構成された、請求項３１に記載の装置。
【請求項３５】
前記少なくとも１つのプロセッサは、
少なくとも１つの別のデバイスからピア発見要求を受信し、
前記ピア発見要求に応じて、前記デバイスによってピア検出信号を送信する
ように構成された、請求項３１に記載の装置。
【請求項３６】
コンピュータ・プログラム製品であって、
少なくとも１つのプロセッサに対して、デバイスによって、プッシュ・モードに基づいて、第１のピア発見を実行させるためのコードと、
前記少なくとも１つのプロセッサに対して、前記デバイスによって、プル・モードに基づいて、第２のピア発見を実行させるためのコードと
を備える非一時的なコンピュータ読取可能な媒体、を備えるコンピュータ・プログラム製品。
【請求項３７】
無線通信のための方法であって、
第１のデバイスによってピア発見要求を送信することと、
前記ピア発見要求を送信した後、少なくとも１つの別のデバイスから、ピア検出信号またはピア発見応答を検出することと、
を備える方法。
【請求項３８】
ピア発見をトリガするイベントを検出することと、
前記イベントを検出することに応じて、前記ピア発見要求を送信することと、
をさらに備える請求項３７に記載の方法。
【請求項３９】
前記ピア発見をトリガするイベントは、前記第１のデバイスの位置の変化、または前記第１のデバイスでアプリケーションがアクティブになること、またはディレクトリ・エージェントから、マッチングの通知を受信すること、またはこれらの組み合わせに対応する、請求項３８に記載の方法。
【請求項４０】
前記ピア検出信号または前記ピア発見応答を検出することは、前記ピア発見要求に応じて、前記少なくとも１つの別のデバイスによってネットワークを介して送信された前記ピア発見応答を受信することを備える、請求項３７に記載の方法。
【請求項４１】
第２のデバイスから第２のピア発見要求を受信することと、
前記第２のピア発見要求に応じて、前記第１のデバイスによって、第２のピア検出信号を送信することと、
をさらに備える請求項３７に記載の方法。
【請求項４２】
前記第１のデバイスによって、初期レートで、第２のピア検出信号を送信することと、
第２のデバイスから第２のピア発見要求を受信することと、
前記第２のピア発見要求に応じて、前記第１のデバイスによって、前記初期レートよりも速いレートで、前記第２のピア検出信号を送信することと、
をさらに備える請求項３７に記載の方法。
【請求項４３】
無線通信のための装置であって、
第１のデバイスによってピア発見要求を送信する手段と、
前記ピア発見要求を送信した後、少なくとも１つの別のデバイスから、ピア検出信号またはピア発見応答を検出する手段と、
を備える装置。
【請求項４４】
ピア発見をトリガするイベントを検出する手段と、
前記イベントを検出することに応じて、前記ピア発見要求を送信する手段と、
をさらに備える請求項４３に記載の装置。
【請求項４５】
第２のデバイスから第２のピア発見要求を受信する手段と、
前記第２のピア発見要求に応じて、前記第１のデバイスによって、第２のピア検出信号を送信する手段と、
をさらに備える請求項４３に記載の装置。
【請求項４６】
無線通信のための装置であって、
第１のデバイスによってピア発見要求を送信し、
前記ピア発見要求を送信した後、少なくとも１つの別のデバイスから、ピア検出信号またはピア発見応答を検出する
ように構成された少なくとも１つのプロセッサ、
を備える装置。
【請求項４７】
前記少なくとも１つのプロセッサは、
ピア発見をトリガするイベントを検出し、
前記イベントを検出することに応じて、前記ピア発見要求を送信する
ように構成された、請求項４６に記載の装置。
【請求項４８】
前記少なくとも１つのプロセッサは、
第２のデバイスから第２のピア発見要求を受信し、
前記第２のピア発見要求に応じて、前記第１のデバイスによって、第２のピア検出信号を送信する
ように構成された、請求項４６に記載の装置。
【請求項４９】
コンピュータ・プログラム製品であって、
少なくとも１つのプロセッサに対して、第１のデバイスによってピア発見要求を送信させるためのコードと、
前記少なくとも１つのプロセッサに対して、前記ピア発見要求を送信した後、少なくとも１つの別のデバイスから、ピア検出信号またはピア発見応答を検出させるためのコードと
を備える非一時的なコンピュータ読取可能な媒体、を備えるコンピュータ・プログラム製品。
【請求項５０】
無線通信のための方法であって、
デバイスによって、ダウンリンク・スペクトルに基づいて、第１のピア発見を実行することと、
前記デバイスによって、アップリンク・スペクトルに基づいて、第２のピア発見を実行することと、
を備える方法。
【請求項５１】
前記第１のピア発見を実行することは、前記デバイスを少なくとも１つの別のデバイスが検出できるようにするために、前記デバイスによって、時折、前記ダウンリンク・スペクトルで、ピア検出信号を送信することを備える、請求項５０に記載の方法。
【請求項５２】
前記第１のピア発見を実行することは、少なくとも１つの別のデバイスからのピア検出信号を、前記ダウンリンク・スペクトルにおいて時折検出することを備える、請求項５０に記載の方法。
【請求項５３】
前記第２のピア発見を実行することは、
前記デバイスによってピア発見要求を送信することと、
前記ピア発見要求を送信した後、少なくとも１つの別のデバイスからのピア検出信号を前記アップリンク・スペクトルにおいて検出することと
を備える、請求項５０に記載の方法。
【請求項５４】
前記第２のピア発見を実行することは、
ピア発見を実行せよとの通知を、ディレクトリ・エージェントから受信することと、
前記通知に応じて、前記アップリンク・スペクトルで、前記第２のピア発見を実行することと
を備える、請求項５０に記載の方法。
【請求項５５】
無線通信のための装置であって、
デバイスによって、ダウンリンク・スペクトルに基づいて、第１のピア発見を実行する手段と、
前記デバイスによって、アップリンク・スペクトルに基づいて、第２のピア発見を実行する手段と、
を備える装置。
【請求項５６】
前記第１のピア発見を実行する手段は、前記デバイスを少なくとも１つの別のデバイスが検出できるようにするために、前記デバイスによって、時折、前記ダウンリンク・スペクトルで、ピア検出信号を送信する手段を備える、請求項５５に記載の装置。
【請求項５７】
前記第２のピア発見を実行する手段は、
前記デバイスによってピア発見要求を送信する手段と、
前記ピア発見要求を送信した後、少なくとも１つの別のデバイスからのピア検出信号を前記アップリンク・スペクトルにおいて検出する手段と
を備える、請求項５５に記載の装置。
【請求項５８】
無線通信のための装置であって、
デバイスによって、ダウンリンク・スペクトルに基づいて、第１のピア発見を実行し、
前記デバイスによって、アップリンク・スペクトルに基づいて、第２のピア発見を実行する
ように構成された少なくとも１つのプロセッサ、を備える装置。
【請求項５９】
前記少なくとも１つのプロセッサは、前記デバイスを少なくとも１つの別のデバイスが検出できるようにするために、前記デバイスによって、時折、前記ダウンリンク・スペクトルで、ピア検出信号を送信するように構成された、請求項５８に記載の装置。
【請求項６０】
前記少なくとも１つのプロセッサは、
前記デバイスによってピア発見要求を送信し、
前記ピア発見要求を送信した後、少なくとも１つの別のデバイスからのピア検出信号を前記アップリンク・スペクトルにおいて検出する
ように構成された、請求項５８に記載の装置。
【請求項６１】
コンピュータ・プログラム製品であって、
少なくとも１つのプロセッサに対して、デバイスによって、ダウンリンク・スペクトルに基づいて、第１のピア発見を実行させるためのコードと、
前記少なくとも１つのプロセッサに対して、前記デバイスによって、アップリンク・スペクトルに基づいて、第２のピア発見を実行させるためのコードと
を備える非一時的なコンピュータ読取可能な媒体、を備えるコンピュータ・プログラム製品。
【請求項６２】
無線通信のための方法であって、
ピア発見のために使用される少なくとも１つの信号を生成することと、
デバイスを別のデバイスが検出することを可能にするために、前記デバイスによって、前記少なくとも１つの信号からなる複数の送信を送ることと、
を備える方法。
【請求項６３】
前記少なくとも１つの信号は、ビーコン信号を備える、請求項６２に記載の方法。
【請求項６４】
前記少なくとも１つの信号からなる複数の送信は、複数のビーコン・シンボルに対応し、
各ビーコン・シンボルは、前記ビーコン信号に利用可能な複数のサブキャリアに指定された少なくとも１つのサブキャリアにおける送信電力と、前記複数のサブキャリアのうちの残りのサブキャリアにおける無送信電力とを含む、請求項６３に記載の方法。
【請求項６５】
前記少なくとも１つの信号は、一次同期信号、または二次同期信号、または基準信号、またはこれらの組み合わせを備える、請求項６２に記載の方法。
【請求項６６】
信号のセットが、ピア発見のために利用可能であり、
前記複数の送信のおのおのは、前記信号のセットにおける１つの信号の送信に対応し、
前記少なくとも１つの信号からなる複数の送信は、前記信号のセットから選択された信号のシーケンスの送信に対応する、請求項６２に記載の方法。
【請求項６７】
前記少なくとも１つの信号からなる複数の送信は、システム情報ブロック（ＳＩＢ）、またはマスタ情報ブロック（ＭＩＢ）、または物理ダウンリンク共有チャネル（ＰＤＳＣＨ）からなる複数の送信に対応する、請求項６２に記載の方法。
【請求項６８】
無線通信のための装置であって、
ピア発見のために使用される少なくとも１つの信号を生成する手段と、
デバイスを少なくとも１つの別のデバイスが検出することを可能にするために、前記デバイスによって、前記少なくとも１つの信号からなる複数の送信を送る手段と、
を備える装置。
【請求項６９】
前記少なくとも１つの信号は、ビーコン信号、または一次同期信号、または二次同期信号、または基準信号、またはこれらの組み合わせを備える、請求項６８に記載の装置。
【請求項７０】
無線通信のための装置であって、
ピア発見のために使用される少なくとも１つの信号を生成し、
デバイスを少なくとも１つの別のデバイスが検出することを可能にするために、前記デバイスによって、前記少なくとも１つの信号からなる複数の送信を送る
ように構成された少なくとも１つのプロセッサ、を備える装置。
【請求項７１】
前記少なくとも１つの信号は、ビーコン信号、または一次同期信号、または二次同期信号、または基準信号、またはこれらの組み合わせを備える、請求項７０に記載の装置。
【請求項７２】
コンピュータ・プログラム製品であって、
少なくとも１つのプロセッサに対して、ピア発見のために使用される少なくとも１つの信号を生成させるためのコードと、
前記少なくとも１つのコンピュータに対して、デバイスを別のデバイスが検出することを可能にするために、前記デバイスによって、前記少なくとも１つの信号からなる複数の送信を送らせるためのコードと
を備える非一時的なコンピュータ読取可能な媒体、を備えるコンピュータ・プログラム製品。
【発明の詳細な説明】
【関連出願】
【０００１】
本願は、本明細書においてその全体が参照によって組み込まれている、「ピア発見のためのハイブリッド・モード」（HYBRID MODES FOR PEER DISCOVERY）と題された、２０１０年７月７日出願の米国仮出願番号６１／３６２，００２号に対する優先権を主張する。
【技術分野】
【０００２】
本開示は、一般に、通信に関し、さらに詳しくは、ピア・トゥ・ピア（Ｐ２Ｐ）通信のための技術に関する。
【背景技術】
【０００３】
無線通信ネットワークは、例えば音声、ビデオ、パケット・データ、メッセージング、ブロードキャスト等のようなさまざまな通信コンテンツを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのデバイスのための通信をサポートしうる多くの基地局を含みうる。デバイスは、ダウンリンクおよびアップリンクによって基地局と通信しうる。ダウンリンク（すなわち順方向リンク）は、基地局からデバイスへの通信リンクを称し、アップリンク（すなわち逆方向リンク）は、デバイスから基地局への通信リンクを称する。デバイスはまた、他のデバイスと、ピア・トゥ・ピアで通信することができうる。デバイス間のＰ２Ｐ通信を効率的にサポートすることが望まれうる。
【発明の概要】
【０００５】
本明細書では、無線ネットワークにおいて、ピア発見を実行するための技術が記載されている。デバイスは、対象とする他のデバイスの検出および識別を行うために、ピア発見を実行しうる。電力消費量を低減しながら、対象とするデバイスが、効率的に検出されるように、ピア発見を実行することが望まれうる。
【０００６】
態様では、デバイスは、自律的なピア発見と、ネットワークによって支援されたピア発見と、を含むハイブリッド・モードに基づいて、ピア発見を実行しうる。１つの設計では、例えば、（ｉ）このデバイスを、少なくとも１つの別のデバイスが検出できるようにするために、時折（例えば、定期的または非定期的に）ピア検出信号を送信することによって、および／または、（ｉｉ）少なくとも１つの別のデバイスからピア検出信号を時折検出することによって、第１のピア発見を自律的に実行しうる。デバイスはまた、ネットワーク支援を用いて、第２のピア発見を実行しうる。ネットワークによって支援されたピア発見のために、デバイスは、ネットワーク・エンティティ（例えば、ディレクトリ・エージェント）に登録し、その後、このデバイスと、少なくとも１つの別のデバイスとのマッチングの通知を受信しうる。デバイスはその後、マッチング通知を受信することに応じて、ピア発見を実行しうる。デバイスはまた、その他の方式で、ネットワーク支援を用いて、ピア発見を実行しうる。
【０００７】
別の態様では、デバイスは、「プッシュ」モードおよび「プル」モードに基づいて、ピア発見を実行しうる。プッシュ・モードの１つの設計では、デバイスは、ピア検出信号を時折送信しうるか、および／または、少なくとも１つの別のデバイスから、ピア検出信号を時折検出しうる。プル・モードの１つの設計では、デバイスは、ピア発見要求を送信し、その後、少なくとも１つの別のデバイスから、ピア検出信号またはピア発見応答を検出しうる。プル・モードの別の設計では、デバイスは、他のデバイスからのピア発見要求を受信し、これに応じて、ピア検出信号を送信しうるか、または、ピア検出信号を、より速いレートで送信しうるか、または、ピア発見応答を送信しうるか、または、これらの組み合わせでありうる。
【０００８】
また別の態様では、デバイスは、（例えば、プル・モードの場合、）イベントによってトリガされたピア発見を実行しうる。１つの設計では、デバイスは、ピア発見をトリガするイベント（例えば、デバイスの位置の変化）を検出しうる。デバイスは、イベントを検出すると、ピア発見要求を送信しうる。デバイスは、その後、ピア発見要求を送信した後、少なくとも１つの別のデバイスから、ピア検出信号またはピア発見応答を検出しうる。
【０００９】
また別の態様では、デバイスは、ダウンリンク・スペクトルとアップリンク・スペクトルとの両方を用いて、ピア発見を実行しうる。１つの設計では、デバイスは、ダウンリンク・スペクトルに基づいて、（例えば、プッシュ・モードの場合、）第１のピア発見を実行しうる。デバイスはまた、アップリンク・スペクトルに基づいて、（例えば、プル・モードの場合、）第２のピア発見を実行しうる。
【００１０】
また別の態様では、デバイスは、検出の向上、および／または、ペイロードの増加を行う方式で、ピア検出信号を送信しうる。１つの設計では、デバイスは、ピア発見のために、少なくとも１つの信号（例えば、ビーコン信号および／またはその他いくつかの信号）を生成しうる。このデバイスを、少なくとも１つの別のデバイスが検出できるようにするために、このデバイスは、少なくとも１つの信号からなる複数の送信を送りうる。
【００１１】
本開示のさまざまな態様および特徴が、以下にさらに詳細に記載される。
【図面の簡単な説明】
【００１２】
【図１】図１は、無線通信ネットワークを示す。
【図２】図２は、プッシュ・モードおよびプル・モードを用いた自律的なピア発見を示す。
【図３】図３は、ネットワークによって支援されたピア発見のための処理を示す。
【図４】図４は、ハイブリッド・モードに基づいてピア発見を実行するための処理を示す。
【図５】図５は、ハイブリッド・モードに基づいてピア発見を実行するための処理を示す。
【図６】図６は、イベントによってトリガされたピア発見を実行するための処理を示す。
【図７】図７は、ダウンリンク・スペクトルとアップリンク・スペクトルとの両方を用いてピア発見を実行するための処理を示す。
【図８】図８は、ピア検出信号を送信するための処理を示す。
【図９】図９は、基地局およびデバイスのブロック図を示す。
【図１０】図１０は、別のデバイスのブロック図を示す。
【発明を実施するための形態】
【００１３】
本明細書では、Ｐ２Ｐ通信を可能にするためにピア発見を実行するための技術が記載される。これら技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ）、時分割同期ＣＤＭＡ（ＴＤ−ＳＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、周波数分割デュプレクス（ＦＤＤ）と時分割デュプレクス（ＴＤＤ）との両方において、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ｃｄｍａ２０００およびＵＭＢは、「第３世代パートナシップ計画２」（３ＧＰＰ２）と命名された団体からの文書に記載されている。本明細書で記載された技術は、他の無線ネットワークおよびラジオ技術と同様に、前述された無線ネットワークおよびラジオ技術のために使用されうる。
【００１４】
図１は、無線通信ネットワーク１００を示す。これは、ＬＴＥネットワークまたはその他いくつかの無線ネットワークでありうる。無線ネットワーク１００は、多くの基地局１１０およびその他のネットワーク・エンティティを含みうる。基地局は、デバイスと通信するエンティティであり、ノードＢ、イボルブド・ノードＢ（ｅＮＢ）、アクセス・ポイント等とも称されうる。おのおのの基地局１１０は、特定の地理的領域のための有効通信範囲を提供し、有効通信範囲エリア内に位置するデバイスのための通信をサポートしうる。ネットワーク容量を高めるために、基地局の有効通信範囲全体が、多数（例えば３つ）の、より小さなエリアへ分割されうる。小さなエリアのおのおのは、それぞれ基地局サブシステムによってサービス提供されうる。３ＧＰＰでは、用語「セル」は、この用語が使用されるコンテキストに依存して、この有効通信範囲エリアにサービス提供している基地局および／または基地局サブシステムからなる有効通信範囲エリアを称しうる。
【００１５】
ネットワーク・コントローラ１３０は、基地局のセットに接続しており、これら基地局に対して調整および制御を提供しうる。ネットワーク・コントローラ１３０は、単一のネットワーク・エンティティでありうるか、複数のネットワーク・エンティティの集合でありうる。ネットワーク・コントローラ１３０は、バックホールを介して基地局と通信しうる。基地局はまた、例えば、ダイレクトに、または、無線または有線のバックホールを介して非ダイレクトに、互いに通信しうる。ディレクトリ・エージェント１４０は、ネットワーク・コントローラ１３０および／またはその他のネットワーク・エンティティに接続しうる。ディレクトリ・エージェント１４０はまた、ネットワーク・コントローラ１３０または基地局の一部でありうる。後述するように、ディレクトリ・エージェント１４０は、デバイスによるピア発見をサポートしうる。ディレクトリ・エージェント１４０はまた、その他の名称によっても称されうる。
【００１６】
無線ネットワークの全体にわたって複数のデバイス１２０が分布しうる。そして、おのおののデバイスは、固定式または移動式でありうる。デバイスは、ユーザ機器（ＵＥ）、ユーザ・デバイス、移動局、端末、アクセス端末、加入者ユニット、局等とも称されうる。デバイスは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック、タブレット、周辺デバイス（例えば、プリンタ）等でありうる。デバイスは、無線ネットワークにおいて、基地局と通信しうる。デバイスはまた、他のデバイスと、ピア・トゥ・ピアで通信しうる。図１に示される例では、デバイス１２０ｘ，１２０ｙ，１２０ｚは、ピア・トゥ・ピアで通信しうる。そして、残りのデバイス１２０は、基地局１１０と通信しうる。Ｐ２Ｐ通信を行っているデバイスは、同じセル内（例えば、デバイス１２０ｘ，１２０ｙ）に、または、異なるセル内（例えば、デバイス１２０ｘ，１２０ｚ）に配置されうる。デバイス１２０ｘ，１２０ｙ，１２０ｚはまた、例えば、Ｐ２Ｐ通信を行っていない場合、恐らくはＰ２Ｐ通信と並行して、基地局とも通信することができうる。Ｐ２Ｐ通信は、ラジオ・インタフェースとコア・ネットワークにおける輻輳を低減するために、データ・トラフィックの負荷を低減するために使用されうる。
【００１７】
Ｐ２Ｐ通信における１つのチャレンジは、例えば、ラジオ周波数（ＲＦ）近傍内の特定の範囲内にある、対象とするピア・デバイスの発見／検出である。デバイスは、ＲＦ近傍内の、対象とする他のデバイスの検出および識別のために、ピア発見を実行しうる。ピア発見のための電力消費量を低減しながら、対象とする他のデバイスが、可能な限り効率的に検出されるように、ピア発見を実行することが望まれうる。
【００１８】
態様では、１または複数のハイブリッド・モードが、ピア発見のためにサポートされうる。ハイブリッド・モードは、ピア発見を実行するための複数の方式を含みうる。これによって、ピア発見のためのパフォーマンスがより良好になり、および／または、バッテリ消費量がより低減されるようになりうる。１つの設計では、表１に示されるハイブリッド・モードのうちの１または複数がサポートされうる。ピア発見のためのその他のハイブリッド・モードもまたサポートされうる。
【表１】
2013539615.tif 000003
【００１９】
ピア・トゥ・ピアで通信しうる、および／または、ピア・トゥ・ピアで通信することを望むデバイスは、ピア発見を実行しうる。ピア発見のために、デバイスは、（ｉ）デバイスを別のデバイスが検出できるようにするために、ピア検出信号（ＰＤＳ）を送信しうるか、および／または、（ｉｉ）別のデバイスからのピア検出信号を受信しうる。ピア検出信号はまた、ピア発見信号、近隣検出信号等とも称されうる。ピア検出信号は、ピア検出信号の送信機のための識別情報、および／または、その他の情報を伝送しうる、１または複数の信号を備えうる。
【００２０】
表２は、ピア発見を実行するための別の方式の短い説明を提供する。
【表２】
2013539615.tif 000004
【００２１】
自律的なピア発見は、プッシュ・モードおよび／またはプル・モードを用いて実施されうる。プッシュ・モードに基づく自律的なピア発見の場合、デバイスＸは、発見されることを望みうる。そして、自己の存在を通知するために、ピア検出信号を時折（例えば、定期的または非定期的に）送信しうる。相応して、デバイスＹは、別のデバイスを発見することを望み、時折、別のデバイスからのピア検出信号を求める検出／探索を行いうる。デバイスＹは、デバイスＸからのピア検出信号を検出および識別し、その後、デバイスＸの存在を通知されうる。デバイスＸは、電力消費量を低減するため、かつ、バッテリ寿命へのインパクトを最小化するために、ピア検出信号を、比較的低い周期またはレートで送信しうる。同様に、デバイスＹは、バッテリ寿命へのインパクトを最小化するために、ピア検出信号を求める検出を、比較的低い周期で行いうる。一般に、ＰＤＳ送信および／またはＰＤＳ受信の周期は、バッテリ寿命を改善するために、低く保たれうる。しかしながら、ＰＤＳ送信および／またはＰＤＳ受信の周期が低くなると、ピア検出のレイテンシが増加するであろう。
【００２２】
プル・モードに基づく自律的なピア発見の場合、デバイスＸは、近隣のピア・デバイスおよび／またはサービスを検出し、その後、ピア発見要求を送信することを望みうる。ピア発見要求は、ピア検出信号またはその他いくつかの信号によって送信され、ＰＤＳ要求、要求ＰＤＳ等とも称されうる。ピア発見要求は、１または複数のサービスの１または複数のサービス識別子（ＩＤ）、および／または、デバイスＸが検出することを望む１または複数のピア・デバイスの１または複数のデバイスＩＤ、を含みうる。ピア・デバイスＹは、デバイスＸからのピア発見要求を受信し、このピア発見要求がデバイスＹに当てはまるか否かを判定しうる。例えば、ピア・デバイスＹが、デバイスＸによって要求されたサービスを提供する場合、および／または、ピア・デバイスＹが、ピア発見要求によって識別される場合、このケースでありうる。このピア発見要求が、デバイスＹに当てはまる場合、ピア・デバイスＹは、（もしもデバイスＹがまだ信号を送信していないのであれば）ピア検出信号の送信を開始しうるか、または、例えば、予め定められた期間の間、ＰＤＳ送信のレートを高めうる。ピア・デバイスＹはまた、ピア発見要求に対するピア発見応答をも送信しうる。自律的なピア発見のためのプル・モードは、ピア発見に関連付けられたバッテリ消費量および／またはレイテンシを低減しうる。
【００２３】
プル・モードに基づく自律的なピア発見は、例えば、デフォルトの時間−周波数リソースと、デフォルトのＰＤＳ送信および受信手順とに基づいて、ネットワーク支援無しで実行されうる。プル・モードのピア発見はまた、ネットワーク支援を用いても実行されうる。１つの設計では、ピア発見要求に応答するデバイスＹは、ＰＤＳ送信および受信のために使用するパラメータをネゴシエートするために、ネットワークを介してピア発見要求を送信しているデバイスＸと通信しうる。これらのパラメータは、（ｉ）どのデバイスがピア検出信号を送信し、どのデバイスがピア検出信号を受信するかの指定、（ｉｉ）ピア検出信号の送信のために使用する時間−周波数リソース、（ｉｉｉ）ピア検出信号の識別を支援するユニークなＩＤ、および／または、（ｉｖ）その他のパラメータを含みうる。別の設計では、応答するデバイスＹは、ピア発見要求が受信されたことを要求元のデバイスＸへ示すピア発見応答を送信するために、ネットワークを使用しうる。そして、ピア検出信号を送信することをスキップしうる。ピア発見応答は、例えば、応答するデバイスＹによって測定されたピア発見要求の受信信号強度のような関連情報、ピア発見要求によって要求されうる対象となる情報等を含みうる。例えば、要求元のデバイスＸは、フェイスブック上およびＲＦ近隣内の他のすべてのデバイスに対して、ピア発見要求に応答するように求めるピア発見要求を送信しうる。他のデバイスは、ネットワークを経由して応答し、例えば「ビジー」または「利用可能」等といったステータスのような追加情報を提供しうる。別の例として、要求元のデバイスＡは、自律的な方式で、すべてのプリンタから、ＰＤＳ送信を要求しうる。そして、プリンタのピア発見要求を、オーバ・ザ・エアで送信しうる。デバイスＡは、例えば、ピア発見要求におけるデバイスＩＤのようなさまざまな情報を含みうる。プリンタ・デバイスＢは、デバイスＡからのピア発見要求を検出し、２つのオプションのうちの１つに基づいて応答しうる。１つのオプションでは、デバイスＢは、デバイスＡがピア発見応答を検出できるように、ピア発見応答をオーバ・ザ・エアで送信しうる。別のオプションでは、デバイスＢは、例えばデバイスＡのデバイスＩＤを用いて、無線ネットワーク（ＷＡＮ）を介してデバイスＡにコンタクトしうる。デバイスＢはまた、必要であれば、無線ネットワークにおけるデバイスＡのアドレスを決定するために、ネットワーク支援を使用しうる。
【００２４】
図２は、（図２に示していないが）個別にまたは（図２に示すように）共に使用されうるプッシュ・モードおよびプル・モードを備えた自律的なピア発見の設計を示す。プッシュ・モードの場合、デバイスは、低周期でありうる特定のレートで、ピア検出信号を定期的に送信（ブロードキャストまたは「プッシュ」）しうる。デバイスは、ＰＤＳサイクルと称されうる、ＴＰＤＳ秒からなる各時間インタバルで、ピア検出信号を送信しうる。デバイスはまた、ピア検出信号を非定期的にも送信しうる。そして、ＴＰＤＳは、異なるＰＤＳサイクルに対して、動的に調節されうる。あるいは、または、それに加えて、デバイスは、プッシュ・モードの場合、時折、別のデバイスからのピア検出信号を求める検出を行いうる。プル・モードの場合、デバイスは、近隣のサービスおよび／またはピア・デバイスを検出することを望む場合には常に、ピア発見要求を送信（または、「プル」）しうる。デバイスはまた、他のデバイスからのピア発見要求を検出し、ＰＤＳ送信のレートを高めることによって応答しうる。
【００２５】
プッシュ・モードとプル・モードとの両方に適用可能な１つの設計では、ピア検出信号またはピア発見要求の送信は、あるイベントの発生に基づいてトリガされうる。プッシュ・モードの場合、デバイスは、ピア検出信号の送信を開始しうるか、または、あるイベントに基づいて、ピア検出信号のレートを変更しうる。これは、イベント・ドリブンＰＤＳ送信と称されうる。このＰＤＳ送信は、いつでも起こることができ、単一のＰＤＳサイクル内で、または、複数（例えば、２つ）の連続するＰＤＳサイクルにわたって生じうる。プル・モードの場合、デバイスは、あるイベントに基づいて、ピア発見要求を送信しうる。これは、イベント・ドリブン・ピア発見要求送信と称されうる。さまざまなタイプのイベントが、イベント・ドリブンＰＤＳ／要求送信（すなわち、イベント・ドリブンＰＤＳ送信および／またはイベント・ドリブン・ピア発見要求送信）のためのトリガとして使用されうる。
【００２６】
１つの設計では、デバイスの位置の変化に関連するイベントが、イベント・ドリブンＰＤＳ／要求送信のためのトリガとして使用されうる。用語“位置”（location）および“場所”（position）は、しばしば置換可能に使用される。デバイスは、ＲＦ近隣内のピア・デバイスの検出に興味を持っている場合がありうる。したがって、デバイスの位置が変化すると、ＲＦ近隣内にあるピア・デバイスが変化するという結果になりうる。その後、デバイスは、その位置の変化が検出された場合、プッシュ・モードまたはプル・モードに基づいて、ピア発見を実行しうる。
【００２７】
デバイスの位置の変化は、さまざまな方式で検出されうる。そして、正確に検出される必要はない場合がありうる。１つの設計では、デバイスの位置は、サービス提供セルに基づいて、ラフに推定されうる。そして、デバイスの位置を示すために、サービス提供セルＩＤが使用されうる。デバイスは、新たなサービス提供セルが選択された場合、その位置を変えたものと見なされ、サービス提供セルが変わった場合、プッシュ・モードまたはプル・モードに基づいて、ピア発見を実行しうる。別の設計では、デバイスの位置は、ＲＦフィンガ・プリントに基づいて決定されうる。この設計では、デバイスは、別のセルの受信信号強度を測定しうる。そして、デバイスは、セルの識別子、および／または、セルの受信信号強度が十分に変化したことに基づいて、デバイスが移動したものと判定しうる。新たなフェムト・セル、Ｗｉ−Ｆｉアクセス・ポイント、または、その他の固定式のピア・デバイス（例えば、広告掲示板）を検出することもまた、デバイスの位置の変化を検出するために使用されうる。また別の設計では、デバイスの位置は、ＧＰＳ位置決め、ネットワーク・ベースの位置決め等に基づいて決定されうる。デバイスは、以前の位置および現在の位置に基づいて、自己の位置が変わったと判定しうる。さらに別の設計では、デバイスの位置の変化は、デバイス上のセンサに基づいて検出されうる。このようなセンサは、加速度計、ジャイロスコープ、および／または、速度や加速度等を検出するためのその他のセンサを含みうる。これらセンサは、スマート・フォンおよびその他のデバイスに含まれうる。デバイスはまた、別の方式でも、位置における変化を求める検出を行いうる。
【００２８】
別の設計では、デバイス上でアプリケーションがアクティブになることに関連するイベントが、イベント・ドリブンＰＤＳ／要求送信のためのトリガとして使用されうる。例えば、アプリケーションがアクティブになった場合、アプリケーションによって要求または提供されるサービスを求めて探索するために、プッシュ・モードまたはプル・モードに基づいてピア発見が実行されうる。
【００２９】
イベント・ドリブンＰＤＳ／要求送信はまた、他のタイプのイベントに基づいてもトリガされうる。イベント・ドリブンＰＤＳ／要求送信は、良好なパフォーマンスを保証するために調整されうる。例えば、良好なパフォーマンスが得られるように、デバイスのＲＦ条件または位置を十分に変化させているものは何であるかが定義されうる。プル・モードにプッシュ・モードを組み入れて、基本的に時折ＰＤＳ送信を行うことは有益でありうる。１つの設計では、時折行うＰＤＳ送信の頻度は、イベントによってトリガされた場合、要求に応じて変更されうる。
【００３０】
ネットワークによって支援されたピア発見は、ＰＤＳ送信および受信の効率を向上するために使用されうる。これは、バッテリ消費量および検出レイテンシを低減しうる。ネットワークによって支援されたピア発見の場合、所与のデバイスＸは、デバイスＸの存在と、恐らくは、デバイスＸに関するその他の情報とが、ディレクトリ・エージェントに知られるようになるように、ディレクトリ・エージェント（例えば、図１におけるディレクトリ・エージェント１４０）に登録しうる。ディレクトリ・エージェントは、別のデバイスのために、同様の情報を収集しうる。ディレクトリ・エージェントは、別の、対象となるデバイスが、いつデバイスＸの近傍内にあるのかをデバイスＸに通知しうる。その後、デバイスＸは、ディレクトリ・エージェントによって通知された場合、ピア発見を実行しうる。これは、ピア発見のための電力消費量を低減し、その他の利点も提供しうる。
【００３１】
図３は、ネットワークによって支援されたピア発見のための処理３００の設計のフロー図を示す。デバイス１２０ｘは、例えば、無線ネットワーク１００においてマクロ・セルを検出するように、広域ネットワーク（ＷＡＮ）有効通信範囲に入ると、ディレクトリ・エージェント１４０に登録しうる（ステップ１）。デバイス１２０ｘは、Ｐ２Ｐ登録の一部として、ディレクトリ・エージェント１４０に関連情報を提供しうる。例えば、デバイス１２０ｘは、デバイス１２０ｘのための識別情報、デバイス１２０ｘによって要求されるサービスおよび／またはデバイス１２０ｘによって提供されるサービスのサービス情報、デバイス１２０ｘの位置情報等を提供しうる。デバイス１２０ｘは、サービスの通知、および／または、サービスの取得のために、Ｐ２Ｐ登録を実行しうる。１つの設計では、デバイス１２０ｘは、Ｐ２Ｐ登録時に、Ｐ２Ｐ要求を送信しうる（ステップ２）。Ｐ２Ｐ要求は、デバイス１２０ｘによって要求されるサービス、および／または、デバイス１２０ｘによって提供されるサービス、を示しうる。デバイス１２０ｘは、Ｐ２Ｐ登録後の任意の時間において、新たなＰ２Ｐ要求を発行しうるか、または、既存のＰ２Ｐ登録を更新しうる。更新されたＰ２Ｐ要求は、デバイス１２０ｘの動作ステータス、デバイス１２０ｘの位置の変化、デバイス１２０ｘのバッテリ・ステータスの変化等によって、送信されうる。
【００３２】
一般に、Ｐ２Ｐ要求は、デバイス１２０ｘによって明示的に送信されうるか、暗黙的に送信されうるか、送信されない。Ｐ２Ｐ要求はまた、一時的な要求または持続的な要求でありうる。一時的な要求は、一般に、短い持続時間でありうる予め定められた期間、有効でありうる。持続的な要求は、要求元のデバイスによって明示的に取り消されるまで、延長された期間にわたって、または、無制限に有効でありうる。１つの設計では、Ｐ２Ｐ要求は、Ｐ２Ｐ要求が有効である期間に関連付けられ、この期間後に破棄されうる。
【００３３】
ディレクトリ・エージェント１４０は、デバイスのＰ２Ｐ登録を実行し、これらデバイスからのアクティブなＰ２Ｐ要求のリストを保持する。ディレクトリ・エージェント１４０は、要求マッチングを実行しうる。これは、別のデバイスからのＰ２Ｐ要求を検討することと、マッチングしているＰ２Ｐ要求を用いてデバイスを識別することと、を含みうる（ステップ３）。要求マッチングは、例えば、デバイスによって要求または提供されているサービス、デバイスの機能、デバイスの位置等のようなさまざまな基準に基づいて実行されうる。例えば、マッチングは、デバイス１２０ｘが、デバイス１２０ｙによって要求されたサービスを提供すること、あるいはその逆によって、デバイス１２０ｘとデバイス１２０ｙとの間で宣言されうる。マッチングはまた、２つのデバイスが、互いのＲＦ近隣内にあることをも必要としうる。これは、Ｐ２Ｐ登録中に、デバイスによって提供された位置情報に基づいて判定されうる。
【００３４】
マッチングがデバイス１２０ｘについて発見された場合、ディレクトリ・エージェント１４０は、マッチングの通知をデバイス１２０ｘへ送信しうる（ステップ４ａ）。ディレクトリ・エージェント１４０はさらに、デバイス１２０ｘのマッチングの一部でありうるデバイス１２０ｙに通知しうる（ステップ４ｂ）。必要であれば、このマッチング通知は、デバイス１２０ｘ，１２０ｙに対して、ピア発見を開始するように通知する。デバイス１２０ｘ，１２０ｙは、ディレクトリ・エージェント１４０からマッチング通知を受信することに応じて、ピア発見を実行しうる（ステップ５）。ピア発見のために、デバイス１２０ｘは、デバイス１２０ｙがデバイス１２０ｘを検出できるようにするために、ピア検出信号を送信しうる。デバイス１２０ｘはまた、デバイス１２０ｙからのピア検出信号を求める検出を行いうる。デバイス１２０ｘ，１２０ｙは、ネットワークからの支援を受けて、または、支援無しで、ピア発見を実行しうる。
【００３５】
図３は、ディレクトリ・エージェント１４０を用いた、ネットワークによって支援されたピア発見の特定の設計を示す。ネットワークによって支援されたピア発見はまた、別の方式でも実行されうる。
【００３６】
ネットワークによって支援されたピア発見は、さまざまな方式において有益でありうる。ディレクトリ・エージェント１４０は、マッチングを求めて検出を行い、ピア発見は、マッチングが検出されることに応じて実行されうる。サービスを要求する、サービスを提供する、および／または、その他のデバイスを求めて探索するデバイスは、ディレクトリ・エージェント１４０に登録しうる。ディレクトリ・エージェント１４０は、その後、２またはそれ以上のデバイスとの間のマッチングを求める検出を行いうる。例えば、デバイスＡは、デバイスＢ，Ｃ，Ｄを求める探索を行い、デバイスＣは、デバイスＡ，Ｆ，Ｇを求める探索を行いうる。ディレクトリ・エージェント１４０は、デバイスＡおよびデバイスＣのマッチングを特定し、これらデバイスに対して、マッチングを通知しうる。これらデバイスは、マッチングの検出に応じてピア発見を実行しうるので、ネットワークによって支援されたピア発見は、プル・モードに基づくものとして考慮されうる。
【００３７】
２またはそれ以上のデバイスは、マッチングを通知され、ネットワーク支援を用いてピア発見を実行しうる。例えば、前述した例におけるデバイスＡおよびデバイスＣは、ネットワークを介して互いにコンタクトしうる。そして、プル・モードに基づいて、自律的なピア発見のために、前述したパラメータのうちの何れかについてネゴシエートしうる。これらデバイスはまた、ネットワーク支援無しでも、ピア発見を実行しうる。この場合、ピア発見は、デフォルトの時間−周波数リソースおよびデフォルトの手順に基づいて実行されうる。
【００３８】
一般に、ハイブリッド・モードは、自律的なピア発見、および／または、ネットワークによって支援されたピア発見を含みうる。ハイブリッド・モードはまた、プッシュ・モードおよび／またはプル・モードに基づいてピア発見を含みうる。１つの設計では、ハイブリッド・モードは、以下を含みうる。  
１．プッシュ・モードに基づいた自律的なピア発見。  
２．プル・モードに基づいた自律的なピア発見、または、ネットワークによって支援されたピア発見。
【００３９】
プッシュ・モードに基づく自律的なピア発見の場合、デバイスは、ディレクトリ・エージェント１４０からのマッチングがあるか否かに関わらず、時折、ピア検出信号を送信しうる。これは、デバイスがその存在を、広範囲にいる視聴者に通知したい場合や、例えば、広告掲示板やモール店舗等のように、バッテリ消費量が問題にならない場合に、有益でありうる。
【００４０】
プル・モードに基づいた自律的なピア発見の場合、デバイスは、前述したように、デバイスが、近隣におけるピア・デバイスおよび／またはサービスを検出することを望む場合、ピア発見要求を送信しうる。ピア発見要求は、ＰＤＳ送信をトリガしうる。または、ＰＤＳ送信のレートを高めうる。および／または、他のデバイスによるピア発見応答の送信をトリガしうる。プル・モードに基づく、ネットワークに支援されたピア発見の場合、デバイスは、ディレクトリ・エージェント１４０に登録し、ディレクトリ・エージェント１４０によってマッチングが通知された場合には、ピア発見を実行しうる。
【００４１】
ネットワークは、ＴＤＤまたはＦＤＤを利用しうる。ＴＤＤの場合、アップリンクとダウンリンクとが同じ周波数チャネルを共有し、ダウンリンク送信およびアップリンク送信が、異なる期間において、同じ周波数チャネルで送信されうる。ＦＤＤの場合、ダウンリンクとアップリンクは、個別の周波数チャネルを割り当てられ、ダウンリンク送信およびアップリンク送信は、２つの周波数チャネルで同時に送信されうる。ダウンリンクに使用される周波数チャネルは、ダウンリンク・スペクトル、ダウンリンク・チャネル、ダウンリンク・キャリア等と称されうる。アップリンクに使用される周波数チャネルは、アップリンク・スペクトル、アップリンク・チャネル、アップリンク・キャリア等と称されうる。
【００４２】
一般に、ＦＤＤネットワークでは、自律的なピア発見、ネットワークによって支援されたピア発見、またはハイブリッド・ピア発見のために、ダウンリンク・スペクトルおよび／またはアップリンク・スペクトルが使用されうる。ダウンリンク・スペクトルがＰＤＳ送信のために使用される場合、デバイスは、ＰＤＳ送信をリスンするために再調整する必要無く、同じダウンリンク・スペクトルで、基地局からのダウンリンク信号と、別のデバイスからのピア検出信号とを受信しうる。
【００４３】
１つの設計では、ダウンリンク・スペクトルおよびアップリンク・スペクトルはともに、ハイブリッド・モードにおけるピア発見のために使用されうる。ダウンリンク・スペクトルは、プッシュ・モードに基づく、自律的なピア発見のために使用されうる。例えば、広告掲示板、モール店舗、およびレストランのためのデバイスは、ダウンリンク・スペクトルで、その存在を連続的に通知しうる。アップリンク・スペクトルは、プル・モードに基づく、ネットワークによって支援されたピア発見のために使用されうる。デバイスは、アップリンク・スペクトルに調整を合わせうる。そして、マッチングが通知された場合にのみ、ＰＤＳ送信を求める検出を行いうる。したがって、デバイスは、ほとんどの時間、ダウンリンク・スペクトルで、自律的なＰＤＳ送信を求めてモニタし続けうる。そして、必要な場合にのみ、アップリンク・スペクトルに調整を合わせうる。アップリンク・スペクトルまたはダウンリンク・スペクトルはまた、プル・モードに基づいて、自律的なピア発見のために使用されうる。例えば、デバイスは、ダウンリンク・スペクトルでピア発見要求を送信しうる。そして、ダウンリンク・スペクトルまたはアップリンク・スペクトルで、ピア検出信号を求める検出を行いうる。
【００４４】
ピア検出信号は、さまざまな方式で実現されうる。１つの設計では、ピア検出信号は、ビーコン信号に基づいて実現されうる。ビーコン信号は、１または複数のシンボル期間において送信されうる。そして、ビーコン信号が送信される各シンボル期間において、１つのサブキャリア（または、数個のサブキャリア）で送信されうる。ビーコン信号が送信されるシンボル期間は、ビーコン・シンボル期間と称されうる。ビーコン信号が送信されるサブキャリアは、ビーコン・サブキャリアと称されうる。ビーコン信号は、各ビーコン・シンボル期間内にビーコン・シンボルを備えうる。ビーコン・シンボルは、直交周波数分割多重（ＯＦＤＭ）シンボル、ＳＣ−ＦＤＭＡシンボル、または、１つのビーコン・サブキャリア（または数個のビーコン・サブキャリア）内にエネルギを有するその他いくつかの送信シンボルでありうる。ビーコン・シンボルはまた、ビーコンとも称されうる。明確化のために、後述する説明のほとんどは、各ビーコン・シンボル内に、１つのビーコン・サブキャリアを仮定する。
【００４５】
１つの設計では、ビーコン信号は、単一のビーコン・シンボルを備えることができ、単一のビーコン・シンボル期間で送信されうる。このビーコン・シンボルにおけるビーコン・サブキャリアの位置は、ピア検出信号で送信するための情報に基づいて選択されうる。例えば、Ｋ個のサブキャリアが利用可能であり、最大Ｋ個のデバイスＩＤが定義され、各デバイスＩＤは、異なるサブキャリアにマップされうる。ビーコン・サブキャリアは、その後、ピア検出信号のためのビーコン信号を送信するデバイスのデバイスＩＤに基づいて選択されうる。デバイスＩＤは、恐らくは、ネットワークからの、または、Ｐ２Ｐ機能をサポートするアプリケーションからの支援を用いて、送信元のデバイスを識別するのに役立ちうる。
【００４６】
別の設計では、ビーコン信号は、複数のビーコン・シンボルを備えることができ、複数のビーコン・シンボル期間で送信されうる。ビーコン・シンボルのシーケンスは、ピア検出信号のペイロードのサイズを増加させるために使用されうる。ペイロードは、デバイスＩＤ、サービスＩＤ、および／または、その他の情報を伝送しうる。１つの設計では、増加したペイロードは、デバイスＩＤスペースのサイズを増加させることにより、デバイスＩＤの衝突を最小化するために使用されうる。別の設計では、増加したペイロードは、ピア検出信号で、追加の情報を送信するために使用されうる。この追加の情報は、デバイスによって要求または提供されるサービスを含みうる。何れの場合であれ、ピア検出信号で送信する情報は、各ビーコン・シンボルにおけるビーコン・サブキャリアを選択するために使用されうる。１つの設計では、この情報は、情報を符号化することなく、ビーコン・サブキャリアにマップされうる。別の設計では、この情報は、符号化され、符号化データが取得されうる。これは、ビーコン・サブキャリアを選択するために使用されうる。この情報は、例えば、リード・ソロモン符号、最大距離分離（ＭＤＳ）符号等のようなブロック符号に基づいて符号化されうる。
【００４７】
ビーコン信号は、無線ネットワークで送信された他の信号への干渉を回避する方式で送信されうる。例えば、ＬＴＥでは、ビーコン信号は、物理ダウンリンク制御チャネル（ＰＤＣＣＨ）との干渉を回避するように送信されうる。ＰＤＣＣＨは、サブフレームのうちの最初のＭ個のシンボル期間で送信されうる。ここで、Ｍは、１，２，３または４に等しくなることができ、設定可能でありうる。ビーコン信号はまた、同期信号、物理ブロードキャスト・チャネル（ＰＢＣＨ）、例えばシステム情報ブロック・タイプ１（ＳＩＢ１）のようなＳＩＢ、および／または、その他の情報との干渉を回避するために、基地局から送信されうる。
【００４８】
一般に、ビーコン信号は、自律的なピア発見、および／または、ネットワークによって支援されたピア発見のための、さらには、プル・モードおよび／またはプッシュ・モードのためのピア検出信号のために使用されうる。ビーコン信号は、プッシュ・モードに基づいた自律的なピア発見に特に適切でありうる。
【００４９】
デバイスは、ピア発見のために、他のデバイスから、ビーコン信号を求める検出を行いうる。各ビーコン・シンボル時期において、デバイスは、ビーコン信号のために使用されうるＫ個のサブキャリアのおのおのの受信エネルギを判定しうる。デバイスは、各サブキャリアの受信エネルギを、しきい値と比較しうる。そして、受信エネルギがしきい値を超える各サブキャリアについて、ビーコン・サブキャリアを宣言しうる。デバイスは、検出されたビーコン・サブキャリアの位置を識別しうる。そして、識別されたビーコン・サブキャリアの位置に基づいて、ビーコン信号で送信された情報を判定しうる。
【００５０】
別の設計では、ピア検出信号は、信号のシーケンスに基づいて実現されうる。Ｋ個のユニークな信号からなるセットが、ピア検出信号のために使用可能でありうる。ここで、Ｋは、任意の整数値でありうる。ピア検出信号は、Ｎ個の信号からなるシーケンスによって定義されうる。ここで、Ｎは、任意の整数値でありうる。Ｎ個の信号からなるシーケンスの各信号は、Ｋ個のユニークな信号からなるセットから選択されうる。合計でＫＮ個の可能な信号のシーケンスが、Ｋ個のユニークな信号からなるセットに基づいて定義されうる。信号のどのシーケンスが、どのデバイスに対応するのかを識別する際における混乱を回避するために、ＫＮ個の可能な信号のシーケンスのうちの小さなサブセットが、ピア検出信号のために使用されうる。デバイスは、ピア検出信号のために、特定の信号のシーケンスを割り当てられうる。そして、この信号のシーケンスに基づいて識別されうる。デバイスは、ピア検出信号の各送信について、信号のシーケンスを送信しうる。
【００５１】
さらに別の設計では、ピア検出信号は、無線ネットワークにおいて使用される１または複数の信号に基づいて実現されうる。例えば、ＬＴＥでは、ピア検出信号は、一次同期信号（ＰＳＳ）、または二次同期信号（ＳＳＳ）、または基準信号、またはその他いくつかの信号、またはこれらの組み合わせに基づいて実現されうる。これら同期信号および基準信号は、異なる方式で生成され、異なる波形を有しうる。波形は、特定の信号（例えば、ＰＳＳまたはＳＳＳ）の単一のインスタンスまたは送信、または、複数の信号（例えば、ＰＳＳまたはＳＳＳ）からなるセットを称しうる。ＰＳＳ／ＳＳＳ送信は、ＰＳＳ、またはＳＳＳ、またはこれら両方の送信を称しうる。１つの設計では、ピア検出信号は、１つのＰＳＳ／ＳＳＳ送信を含みうる。別の設計では、ピア検出信号は、複数のＰＳＳ／ＳＳＳ送信を含みうる。
【００５２】
１つの設計では、ピア検出信号のペイロードは、ピア検出信号のために使用される少なくとも１つの信号で送信されうる。この設計では、ペイロードは、ビーコン信号、またはＰＳＳおよび／またはＳＳＳ、または基準信号等で送信されうる。別の設計では、ペイロード（例えば、そのすべてまたはその一部）が、１または複数の個別の送信で送られうる。例えば、ペイロードは、ＳＩＢ、マスタ情報ブロック（ＭＩＢ）、物理ダウンリンク共有チャネル（ＰＤＳＣＨ）等で送信されうる。１つの設計では、ペイロードは、単一のＭＩＢ、またはＳＩＢ、またはＰＤＳＣＨ送信で送られうる。別の設計では、ペイロードは、ペイロードを増加させるために、ＭＩＢのシーケンスで送信されうる。各ＭＩＢは、同じセルＩＤに関連付けられている。例えば、ペイロードは、４つのＭＩＢに分離されうる。別の例として、ペイロードは、ＰＤＳＣＨ送信のシーケンスで送られうる。
【００５３】
図４は、自律的なピア発見と、ネットワークによって支援されたピア発見と、を含むハイブリッド・モードに基づいて、ピア発見を実行するための処理４００の設計を示す。処理４００は、（後述するように）デバイスによって、または、その他のあるエンティティによって実行されうる。デバイスは、例えば、このデバイスを、少なくとも１つの別のデバイスが検出できるようにするために、時折、ピア検出信号を送信することによって、および／または、少なくとも１つの別のデバイスからピア検出信号を時折検出することによって、第１のピア発見を自律的に実行しうる（ブロック４１２）。
【００５４】
デバイスはまた、ネットワーク支援を用いて、第２のピア発見を実行しうる（ブロック４１４）。１つの設計では、デバイスは、ディレクトリ・エージェント（または、その他いくつかのネットワーク・エンティティ）に登録しうる。そして、デバイスによって要求および／または提供されているサービスを示す情報を送信しうる。デバイスはまた、ディレクトリ・エージェントへその他の情報をも送信しうる。デバイスは、デバイスと、少なくとも１つの別のデバイスとの間のマッチングの通知を、ディレクトリ・エージェントから受信しうる。デバイスは、その後、このマッチングの通知をディレクトリ・エージェントから受信することに応じて、第２のピア発見を実行しうる。別の設計では、デバイスは、少なくとも１つの別のデバイスから、ピア発見要求を受信しうる。そして、このピア発見要求に応じて、ピア発見応答を、無線ネットワークを介して送信しうる。
【００５５】
図５は、プッシュ・モードとプル・モードとを含むハイブリッド・モードに基づいてピア発見を実行するための処理５００の設計を示す。処理５００は、（後述するように）デバイスによって、または、その他のあるエンティティによって実行されうる。デバイスは、例えば、ピア検出信号を時折送信することにより、および／または、少なくとも１つの別のデバイスからのピア検出信号を時折検出することによって、プッシュ・モードに基づいて第１のピア発見を実行しうる（ブロック５１２）。一般に、プッシュ・モードは、時折なされるピア検出信号の送信および／または受信によって特徴付けられうる。
【００５６】
デバイスはまた、プル・モードに基づいて、第２のピア発見を実行しうる（ブロック５１４）。１つの設計では、デバイスは、ピア発見要求を送信し、その後、少なくとも１つの別のデバイスから、ピア検出信号および／またはピア発見応答を検出しうる。別の設計では、デバイスは、少なくとも１つの別のデバイスからピア発見要求を受信し、これに応じて、ピア検出信号を送信しうるか、または、ピア検出信号を、より速いレートで送信しうる。別の設計では、デバイスは、少なくとも１つの別のデバイスからピア発見要求を受信しうる。そして、その後、ピア発見応答を（例えば、無線ネットワークを介して）送信しうる。一般に、プル・モードは、トリガされた場合、ピア発見要求および／またはその他の信号の送信および／または受信によって特徴付けられうる。
【００５７】
１つの設計では、デバイスは、プッシュ・モードおよびプル・モードに基づいて、ピア発見を自律的に実行しうる。別の設計では、デバイスは、プッシュ・モードに基づいてピア発見を自律的に実行し、ネットワーク支援を用いて、プル・モードに基づいてピア発見を実行しうる。１つの設計では、デバイスは、プッシュ・モードの場合、ダウンリンク・スペクトルでピア発見を実行し、プル・モードの場合、アップリンク・スペクトルでピア発見を実行しうる。別の設計では、デバイスは、プッシュ・モードとプル・モードとの両方について、ダウンリンク・スペクトルまたはアップリンク・スペクトルで、ピア発見を実行しうる。デバイスはまた、別の方式でプッシュ・モードおよびプル・モードに基づいて、ピア発見を実行しうる。
【００５８】
図６は、イベントによってトリガされたピア発見を実行するための処理６００の設計を示す。処理６００は、（後述するように）第１のデバイス、または、その他いくつかのエンティティによって実行されうる。第１のデバイスは、ピア発見をトリガするイベントを検出しうる（ブロック６１２）。ピア発見をトリガするイベントは、第１のデバイスの位置の変化、または、アプリケーションが第１のデバイスでアクティブになること、または、ディレクトリ・エージェントからマッチング通知を受信すること、または、その他いくつかのイベント、または、これらの組み合わせに対応しうる。第１のデバイスは、イベントを検出することに応じて、ピア発見要求を送信しうる（ブロック６１４）。デバイスは、ピア発見要求を送信した後、少なくとも１つの別のデバイスから、ピア検出信号および／またはピア発見応答を検出しうる（ブロック６１６）。例えば、第１のデバイスは、例えば、ダウンリンク・スペクトルまたはアップリンク・スペクトルのような特定のスペクトルにおいて、少なくとも１つの別のデバイスから、ピア検出信号を検出しうる。あるいは、または、それに加えて、第１のデバイスは、ピア発見要求に応じて、少なくとも１つの別のデバイスによって（例えば、ネットワークを介して）送信されたピア発見応答を受信しうる。
【００５９】
第１のデバイスはまた、第２のデバイスから、ピア発見要求を受信しうる。第１のデバイスは、ピア発見要求に対してピア発見応答を送信しうる。あるいは、または、それに加えて、第１のデバイスは、ピア検出信号の送信を開始しうるか、または、ピア発見要求に応じて、ピア検出信号をより速いレートで送信しうる。
【００６０】
図７は、ダウンリンク・スペクトルとアップリンク・スペクトルとの両方を用いてピア発見を実行するための処理７００の設計を示す。処理７００は、（後述するように）デバイスによって、または、その他のあるエンティティによって実行されうる。デバイスは、ダウンリンク・スペクトルに基づいて、第１のピア発見を実行しうる（ブロック７１２）。１つの設計では、第１のピア発見は、プッシュ・モードに基づきうる。デバイスは、ダウンリンク・スペクトルでピア検出信号を時折送信しうるか、および／または、少なくとも１つの別のデバイスから、ダウンリンク・スペクトルでピア検出信号を時折検出しうる。
【００６１】
デバイスはまた、アップリンク・スペクトルに基づいて第２のピア発見を実行しうる（ブロック７１４）。１つの設計では、第２のピア発見は、プル・モードに基づきうる。デバイスは、ピア発見を実行せよとの通知を、ディレクトリ・エージェントから受信しうる。そして、この通知に応じて、アップリンク・スペクトルで、第２のピア発見を実行しうる。デバイスはまた、ピア発見要求を（例えば、ダウンリンク・スペクトルおよび／またはアップリンク・スペクトルで）送信しうる。その後、少なくとも１つの別のデバイスから、アップリンク・スペクトルでピア検出信号を検出しうる。
【００６２】
図８は、ピア検出信号を送信するための処理８００の設計を示す。処理８００は、（後述するように）デバイスによって、または、その他のあるエンティティによって実行されうる。デバイスは、ピア発見のために使用される少なくとも１つの信号を生成しうる（ブロック８１２）。デバイスは、デバイスを、少なくとも１つの別のデバイスが検出できるようにするために、少なくとも１つの信号からなる複数の送信を送りうる（ブロック８１４）。
【００６３】
１つの設計では、少なくとも１つの信号は、ビーコン信号を備えうる。少なくとも１つの信号からなる複数の送信は、複数のビーコン・シンボルに対応しうる。ビーコン・シンボルはそれぞれ、（ｉ）ビーコン信号に利用可能な複数のサブキャリアに指定された少なくとも１つのサブキャリアにおける送信電力と、（ｉｉ）残りのサブキャリアにおける無送信電力とを含みうる。別の設計では、信号のセットが、ピア発見のために利用可能でありうる。複数の送信のおのおのは、信号のセットにおける１つの信号の送信に対応しうる。少なくとも１つの信号からなる複数の送信は、信号のセットから選択された信号のシーケンスの送信に対応しうる。また別の設計では、少なくとも１つの信号は、ＰＳＳ、またはＳＳＳ、または基準信号、またはその他いくつかの信号、またはこれらの組み合わせを備えうる。また別の設計では、少なくとも１つの信号からなる複数の送信は、ＳＩＢ、またはＭＩＢ、またはＰＤＳＣＨ、またはその他いくつかの情報ブロック、またはその他いくつかのチャネルからなる複数の送信を備えうる。
【００６４】
図９は、図１における複数の基地局のうちの１つ、および、複数のデバイスのうちの１つ、でありうる基地局１１０およびデバイス１２０の設計のブロック図を示す。基地局１１０は、Ｔ個のアンテナ９３４ａ乃至９３４ｔを備え、デバイス１２０は、Ｒ個のアンテナ９５２ａ乃至９５２ｒを備えうる。ここで、一般に、Ｔ≧１およびＲ≧１である。
【００６５】
基地局１１０では、送信プロセッサ９２０が、データ・ソース９１２から、１または複数のデバイスのデータを、コントローラ／プロセッサ９４０から、制御情報（例えば、ピア発見をサポートするメッセージ）を受信しうる。プロセッサ９２０は、データおよび制御情報を処理（例えば、符号化および変調）し、データ・シンボルおよび制御シンボルをそれぞれ取得しうる。プロセッサ９２０はさらに、同期信号、基準信号等のための基準シンボルを生成しうる。送信（ＴＸ）複数入力複数出力（ＭＩＭＯ）プロセッサ９３０は、適用可能であれば、データ・シンボル、制御シンボル、および／または、基準シンボルに空間処理（例えば、プリコーディング）を実行し、Ｔ個の出力シンボル・ストリームをＴ個の変調器（ＭＯＤ）９３２ａ乃至９３２ｔに提供しうる。おのおのの変調器９３２は、（例えば、ＯＦＤＭ等のために）それぞれの出力シンボル・ストリームを処理して、出力サンプル・ストリームを得る。おのおのの変調器９３２はさらに、出力サンプル・ストリームを処理（例えば、アナログ変換、増幅、フィルタ、およびアップコンバート）し、ダウンリンク信号を取得する。変調器９３２ａ乃至９３２ｔからのＴ個のダウンリンク信号は、Ｔ個のアンテナ９３４ａ乃至９３４ｔによってそれぞれ送信されうる。
【００６６】
デバイス１２０では、アンテナ９５２ａ乃至９５２ｒが、基地局１１０からダウンリンク信号を、別の基地局からダウンリンク信号を、および／または、他のデバイスからＰ２Ｐ信号を受信し、受信した信号を、復調器（ＤＥＭＯＤ）９５４ａ乃至９５４ｒへそれぞれ提供しうる。おのおのの復調器９５４は、受信されたそれぞれの信号を調整（例えば、フィルタ、増幅、ダウンコンバート、およびデジタル化）して、入力サンプルを取得しうる。おのおのの復調器９５４はさらに、（例えば、ＯＦＤＭ等のため）これら入力サンプルを処理して、受信されたシンボルを取得しうる。ＭＩＭＯ検出器９５６は、Ｒ個すべての復調器９５４ａ乃至９５４ｒから受信したシンボルを取得し、適用可能である場合、これら受信されたシンボルに対してＭＩＭＯ検出を実行し、検出されたシンボルを提供しうる。受信プロセッサ９５８は、検出されたシンボルを処理（例えば、復調および復号）し、デバイス１２０のために復号されたデータをデータ・シンク９６０に提供し、復号された制御情報をコントローラ／プロセッサ９８０へ提供しうる。
【００６７】
アップリンクでは、デバイス１２０において、送信プロセッサ９６４が、データ・ソース９６２からデータを、コントローラ／プロセッサ９８０から制御情報（例えば、ピア発見のためのメッセージ）を受信し、これらを処理しうる。プロセッサ９６４は、データおよび制御情報を処理（例えば、符号化および変調）し、データ・シンボルおよび制御シンボルをそれぞれ取得する。プロセッサ９６４はまた、基準信号、ピア検出信号、ピア発見要求、ピア発見応答等のためのシンボルを生成しうる。送信プロセッサ９６４からのシンボルは、適用可能であれば、ＴＸ  ＭＩＭＯプロセッサ９６６によってプリコードされ、さらに、（例えば、ＳＣ−ＦＤＭ、ＯＦＤＭ等のために）変調器９５４ａ乃至９５４ｒによって処理され、基地局１１０、他の基地局、および／または、他のデバイスへ送信されうる。基地局１１０では、デバイス１２０およびその他のデバイスからのアップリンク信号が、アンテナ９３４によって受信され、復調器９３２によって処理され、適用可能な場合にはＭＩＭＯ検出器９３６によって検出され、さらに、受信プロセッサ９３８によって処理されて、デバイス１２０およびその他のデバイスによって送信された復号されたデータおよび制御情報が取得される。プロセッサ９３８は、復号されたデータをデータ・シンク９３９に提供し、復号された制御情報をコントローラ／プロセッサ９４０へ提供しうる。
【００６８】
コントローラ／プロセッサ９４０，９８０は、基地局１１０およびデバイス１２０それぞれにおける動作を指示しうる。デバイス１２０におけるプロセッサ９８０および／またはその他のプロセッサおよびモジュールは、図４の処理４００、図５の処理５００、図６の処理６００、図７の処理７００、図８の処理８００、および／または、本明細書に記載された技術のためのその他の処理の実行または指示を行いうる。メモリ９４２，９８２は、基地局１２０およびデバイス１２０それぞれのためのデータおよびプログラム・コードを格納しうる。通信（Ｃｏｍｍ）ユニット９４４によって、基地局１１０は、他のネットワーク・エンティティと通信できるようになりうる。スケジューラ９４６は、ダウンリンクおよび／またはアップリンクでのデータ送信のためにデバイスをスケジュールしうる。
【００６９】
図９はまた、ディレクトリ・エージェント１４０の設計を示す。これは、図１に示されるような個別のネットワーク・エンティティであるか、または、基地局１１０またはその他いくつかのネットワーク・エンティティ内に配置されうる。ディレクトリ・エージェント１４０内では、コントローラ／プロセッサ９９０が、ピア発見をサポートするさまざまな機能を実行しうる。コントローラ／プロセッサ９９０は、デバイスへのＰ２Ｐ登録を実行し、デバイスからＰ２Ｐ要求を受信し、要求マッチングを実行し、マッチングの通知を提供して、マッチングしたデバイスによるピア発見を開始しうる。メモリ９９２は、ディレクトリ・エージェント１４０のためのデータおよびプログラム・コードを格納しうる。記憶装置９９４は、ディレクトリ・エージェント１４０に登録したデバイスのための情報、デバイスからのＰ２Ｐ要求等を格納しうる。通信ユニット９９６によって、ディレクトリ・エージェント１４０は、他のネットワーク・エンティティと通信できるようになりうる。
【００７０】
図１０は、ピア発見をサポートするデバイス１２０ｘの設計のブロック図を示す。デバイス１２０ｘ内では、モジュール１０１０が、ピア検出信号、ピア発見要求、ピア発見応答、および／または、ピア発見のためにデバイス１２０ｘによって送信されるべきその他の信号を生成しうる。送信機１０１２は、モジュール１０１０によって生成された信号、要求、または応答を送信しうる。受信機１０１４は、その他のデバイスによって送信された信号を受信しうる。モジュール１０１６は、ピア検出信号、ピア発見要求、ピア発見応答、および／または、ピア発見のために別のデバイスによって送信されたその他の信号を検出しうる。モジュール１０１８は、プッシュ・モードに基づいてピア発見を実行しうる。モジュール１０２０は、プル・モードに基づいてピア発見を実行しうる。モジュール１０２２は、自律的なピア発見を実行しうる。モジュール１０２４は、ネットワーク支援を用いてピア発見を実行しうる。モジュール１０２６は、ピア発見のために、プッシュ・モードおよび／またはプル・モードを選択しうる。モジュール１０２６はまた、自律的なピア発見を実行するか、および／または、ネットワークによって支援されたピア発見を実行するかを決定しうる。モジュール１０２８は、アップリンク・スペクトルでピア発見を実行するか、および／または、ダウンリンク・スペクトルでピア発見を実行するかを決定しうる。前述したように、デバイス１２０ｘ内のさまざまなモジュールが動作しうる。コントローラ／プロセッサ１０３０は、デバイス１２０ｘ内のさまざまなモジュールの動作を指示しうる。メモリ１０３２は、デバイス１２０ｘのためのデータおよびプログラム・コードを格納しうる。
【００７１】
デバイス１２０ｘ内のモジュールは、プロセッサ、電子デバイス、ハードウェア・デバイス、電子構成要素、論理回路、メモリ、ソフトウェア・コード、ファームウェア・コード等、またはこれらの任意の組み合わせを備えうる。
【００７２】
１つの構成では、無線通信のための装置１２０は、ピア発見を自律的に実行するための手段と、ネットワーク支援を用いてピア発見を実行するための手段とを含みうる。
【００７３】
別の構成では、無線通信のための装置１２０は、プッシュ・モードに基づいてピア発見を実行するための手段と、プル・モードに基づいてピア発見を実行するための手段とを含みうる。
【００７４】
また別の構成では、無線通信のための装置１２０は、デバイスによるピア発見をトリガするイベントを検出するための手段と、このイベントを検出することに応じて、ピア発見要求を送信するための手段と、ピア発見要求を送信した後に、別のデバイスからのピア検出信号および／またはピア発見応答を検出するための手段と、を含みうる。
【００７５】
また別の構成では、無線通信のための装置１２０は、（例えば、プル・モードの場合、）ダウンリンク・スペクトルに基づいて第１のピア発見を実行するための手段と、（例えば、プッシュ・モードの場合、）アップリンク・スペクトルに基づいて第２のピア発見を実行するための手段と、を含みうる。
【００７６】
また別の構成では、無線通信のための装置１２０は、ピア発見のために使用される少なくとも１つの信号を生成するための手段と、デバイスを別のデバイスが検出することを可能にするために、デバイスによって、少なくとも１つの信号からなる複数の送信を送るための手段と、を含みうる。
【００７７】
態様では、前述の手段は、前述の手段によって詳述された機能を実行するように構成されたプロセッサ９８０，９５８，９６４を、デバイス１２０に備えうる。別の態様では、前述した手段は、前述した手段によって記載された機能を実行するように構成された１または複数のモジュールまたは任意の装置を備えうる。
【００７８】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７９】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００８０】
本明細書の開示に関連して記載されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８１】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８２】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００８３】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013539615.tif 000005
【図２】
2013539615.tif 000006
【図３】
2013539615.tif 000007
【図４】
2013539615.tif 000008
【図５】
2013539615.tif 000009
【図６】
2013539615.tif 000010
【図７】
2013539615.tif 000011
【図８】
2013539615.tif 000012
【図９】
2013539615.tif 000013
【図１０】
2013539615.tif 000014
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
無線通信のための方法であって、
デバイスによって第１のピア発見を自律的に実行することと、
前記デバイスによって、ネットワーク支援を用いて、第２のピア発見を実行することと、
を備え、
前記第２のピア発見を実行することが、
前記デバイスによってディレクトリ・エージェントに登録することと、
前記デバイスによって要求または提供されるサービスを示す情報を、前記ディレクトリ・エージェントへ送信することとを備える方法。
【請求項２】
前記第１のピア発見を実行することは、前記デバイスを少なくとも１つの別のデバイスが検出できるようにするために、前記デバイスによって、時折、ピア検出信号を送信することを備える、請求項１に記載の方法。
【請求項３】
前記第１のピア発見を実行することは、前記デバイスによって、少なくとも１つの別のデバイスからのピア検出信号を時折検出することを備える、請求項１に記載の方法。
【請求項４】
前記第２のピア発見を実行することは、前記ディレクトリ・エージェントによって通知された場合、前記第２のピア発見を実行することを備える、請求項１に記載の方法。
【請求項５】
前記第２のピア発見を実行することはさらに、
前記デバイスと、少なくとも１つの別のデバイスとの間のマッチングの通知を、前記ディレクトリ・エージェントから受信することと、
前記マッチングの通知を前記ディレクトリ・エージェントから受信することに応じて、前記第２のピア発見を実行することと
を備える、請求項４に記載の方法。
【請求項６】
前記第２のピア発見を実行することは、
少なくとも１つの別のデバイスからピア発見要求を受信することと、
前記ピア発見要求に対する応答を、無線ネットワークを介して送信することと
を備える、請求項１に記載の方法。
【請求項７】
無線通信のための装置であって、
デバイスによって第１のピア発見を自律的に実行する手段と、
前記デバイスによって、ネットワーク支援を用いて、第２のピア発見を実行する手段と、
を備え、
前記第２のピア発見を実行する手段が、
前記デバイスによってディレクトリ・エージェントに登録する手段と、
前記デバイスによって要求または提供されるサービスを示す情報を、前記ディレクトリ・エージェントへ送信する手段とを備える装置。
【請求項８】
前記第１のピア発見を実行する手段は、前記デバイスを少なくとも１つの別のデバイスが検出できるようにするために、前記デバイスによって、時折、ピア検出信号を送信する手段を備える、請求項７に記載の装置。
【請求項９】
前記第１のピア発見を実行する手段は、前記デバイスによって、少なくとも１つの別のデバイスからのピア検出信号を、時折検出する手段を備える、請求項７に記載の装置。
【請求項１０】
前記第２のピア発見を実行する手段は、前記ディレクトリ・エージェントによって通知された場合、前記第２のピア発見を実行する手段を備える、請求項７に記載の装置。
【請求項１１】
無線通信のための装置であって、
デバイスによって第１のピア発見を自律的に実行し、
前記デバイスによって、ネットワーク支援を用いて、第２のピア発見を実行する
ように構成された少なくとも１つのプロセッサ、
を備え、
前記少なくとも１つのプロセッサが、
前記デバイスによってディレクトリ・エージェントに登録し、
前記デバイスによって要求または提供されるサービスを示す情報を、前記ディレクトリ・エージェントへ送信するように構成されている装置。
【請求項１２】
前記少なくとも１つのプロセッサは、前記デバイスを少なくとも１つの別のデバイスが検出できるようにするために、前記デバイスによって、時折、ピア検出信号を送信するように構成された、請求項１１に記載の装置。
【請求項１３】
前記少なくとも１つのプロセッサは、前記デバイスによって、少なくとも１つの別のデバイスからのピア検出信号を、時折検出するように構成された、請求項１１に記載の装置。
【請求項１４】
前記少なくとも１つのプロセッサは、前記ディレクトリ・エージェントによって通知された場合、前記第２のピア発見を実行するように構成された、請求項１１に記載の装置。
【請求項１５】
コンピュータ・プログラム製品であって、
少なくとも１つのプロセッサに対して、デバイスによる第１のピア発見を自律的に実行させるためのコードと、
前記少なくとも１つのプロセッサに対して、前記デバイスによる、ネットワーク支援を用いた第２のピア発見を実行させるためのコードと
を備え、
前記少なくとも１つのプロセッサに対して前記第２のピア発見を実行させるための前記コードが、前記少なくとも１つのプロセッサに対して
前記デバイスによってディレクトリ・エージェントに登録することと、
前記デバイスによって要求または提供されるサービスを示す情報を、前記ディレクトリ・エージェントへ送信することとを行わせる
コンピュータ読取可能な媒体、を備えるコンピュータ・プログラム製品。
【請求項１６】
無線通信のための方法であって、
デバイスによって、プッシュ・モードに基づいて、第１のピア発見を実行することと、
前記デバイスによって、プル・モードに基づいて、第２のピア発見を実行することと、を備え、
前記第１のピア発見を実行することは、前記デバイスによって第１のレートでピア検出信号を送信することを備え、
前記第２のピア発見を実行することは、
少なくとも１つの別のデバイスからピア発見要求を受信することと、
前記ピア発見要求に応じて、前記デバイスによって、前記第１のレートよりも速いレートで、前記ピア検出信号を送信することと
を備える方法。
【請求項１７】
前記第１のピア発見を実行することは、前記デバイスを前記少なくとも１つの別のデバイスが検出できるようにするために、前記デバイスによって、時折、前記ピア検出信号を送信することを備える、請求項１６に記載の方法。
【請求項１８】
前記第１のピア発見を実行することは、前記デバイスによって、少なくとも１つの別のデバイスからのピア検出信号を、時折検出することを備える、請求項１６に記載の方法。
【請求項１９】
前記第２のピア発見を実行することは、
前記デバイスによってピア発見要求を送信することと、
前記ピア発見要求を送信した後、前記少なくとも１つの別のデバイスから、ピア検出信号またはピア発見応答を検出することと
を備える、請求項１６に記載の方法。
【請求項２０】
前記第２のピア発見を実行することは、
前記ピア発見要求に応答して、無線ネットワークを介して送信することと
を備える、請求項１６に記載の方法。
【請求項２１】
前記第１のピア発見と前記第２のピア発見とは、前記デバイスによって自律的に実行される、請求項１６に記載の方法。
【請求項２２】
前記第１のピア発見は、前記デバイスによって自律的に実行され、
前記第２のピア発見は、前記デバイスによって、ネットワーク支援を用いて実行される、
請求項１６に記載の方法。
【請求項２３】
前記第１のピア発見を実行することは、前記第１のピア発見を、ダウンリンク・スペクトルにおいて実行することを備え、
前記第２のピア発見を実行することは、前記第２のピア発見を、アップリンク・スペクトルにおいて実行することを備える、請求項１６に記載の方法。
【請求項２４】
無線通信のための装置であって、
デバイスによって、プッシュ・モードに基づいて、第１のピア発見を実行する手段と、
前記デバイスによって、プル・モードに基づいて、第２のピア発見を実行する手段と、を備え、
前記第１のピア発見を実行する手段は、前記デバイスによって第１のレートでピア検出信号を送信するように構成されていて、
前記第２のピア発見を実行する手段は、
少なくとも１つの別のデバイスからピア発見要求を受信することと、
前記ピア発見要求に応じて、前記デバイスによって、前記第１のレートよりも速いレートで、前記ピア検出信号を送信することと
を行うように構成されている装置。
【請求項２５】
前記第１のピア発見を実行する手段は、前記デバイスを前記少なくとも１つの別のデバイスが検出できるようにするために、前記デバイスによって、時折、前記ピア検出信号を送信する手段を備える、請求項２４に記載の装置。
【請求項２６】
前記第１のピア発見を実行する手段は、前記デバイスによって、前記少なくとも１つの別のデバイスからのピア検出信号を、時折検出する手段を備える、請求項２４に記載の装置。
【請求項２７】
前記第２のピア発見を実行する手段は、
前記デバイスによってピア発見要求を送信する手段と、
前記ピア発見要求を送信した後、少なくとも１つの別のデバイスから、ピア検出信号またはピア発見応答を検出する手段と
を備える、請求項２４に記載の装置。
【請求項２８】
無線通信のための装置であって、
デバイスによって、プッシュ・モードに基づいて、第１のピア発見を実行し、
前記デバイスによって、プル・モードに基づいて、第２のピア発見を実行する
ように構成された少なくとも１つのプロセッサ、を備え、
前記第１のピア発見を実行するように構成された前記少なくとも１つのプロセッサは、前記デバイスによって第１のレートでピア検出信号を送信するように構成されていて、
前記第２のピア発見を実行するように構成された前記少なくとも１つのプロセッサは、
少なくとも１つの別のデバイスからピア発見要求を受信することと、
前記ピア発見要求に応じて、前記デバイスによって、前記第１のレートよりも速いレートで、前記ピア検出信号を送信することと
を行うように構成されている装置。
【請求項２９】
前記少なくとも１つのプロセッサは、前記デバイスを前記少なくとも１つの別のデバイスが検出できるようにするために、前記デバイスによって、時折、前記ピア検出信号を送信するように構成された、請求項２８に記載の装置。
【請求項３０】
前記少なくとも１つのプロセッサは、前記デバイスによって、前記少なくとも１つの別のデバイスからのピア検出信号を、時折検出するように構成された、請求項２８に記載の装置。
【請求項３１】
前記少なくとも１つのプロセッサは、
前記デバイスによってピア発見要求を送信し、
前記ピア発見要求を送信した後、少なくとも１つの別のデバイスから、ピア検出信号またはピア発見応答を検出する
ように構成された、請求項２８に記載の装置。
【請求項３２】
コンピュータ・プログラム製品であって、
少なくとも１つのプロセッサに対して、デバイスによって、プッシュ・モードに基づいて、第１のピア発見を実行させるためのコードと、
前記少なくとも１つのプロセッサに対して、前記デバイスによって、プル・モードに基づいて、第２のピア発見を実行させるためのコードと
を備え、
前記少なくとも１つのプロセッサに対して、前記第１のピア発見を実行させるための前記コードは、前記デバイスによって第１のレートでピア検出信号を送信するように構成されていて、
前記前記少なくとも１つのプロセッサに対して、前記第２のピア発見を実行させるための前記コードは、
少なくとも１つの別のデバイスからピア発見要求を受信することと、
前記ピア発見要求に応じて、前記デバイスによって、前記第１のレートよりも速いレートで、前記ピア検出信号を送信することと
を行うように構成されている非一時的なコンピュータ読取可能な媒体、を備えるコンピュータ・プログラム製品。
【請求項３３】
無線通信のための方法であって、
第１のデバイスによってピア発見要求を送信することと、
前記ピア発見要求を送信した後、少なくとも１つの別のデバイスから、ピア検出信号またはピア発見応答を検出することと、
前記第１のデバイスによって、初期レートで、第２のピア検出信号を送信することと、
第２のデバイスから第２のピア発見要求を受信することと、
前記第２のピア発見要求に応じて、前記第１のデバイスによって、前記初期レートよりも速いレートで、前記第２のピア検出信号を送信することとを備える方法。
【請求項３４】
ピア発見をトリガするイベントを検出することと、
前記イベントを検出することに応じて、前記ピア発見要求を送信することと、
をさらに備える請求項３３に記載の方法。
【請求項３５】
前記ピア発見をトリガするイベントは、前記第１のデバイスの位置の変化、または前記第１のデバイスでアプリケーションがアクティブになること、またはディレクトリ・エージェントから、マッチングの通知を受信すること、またはこれらの組み合わせに対応する、請求項３４に記載の方法。
【請求項３６】
前記ピア検出信号または前記ピア発見応答を検出することは、前記ピア発見要求に応じて、前記少なくとも１つの別のデバイスによってネットワークを介して送信された前記ピア発見応答を受信することを備える、請求項３３に記載の方法。
【請求項３７】
無線通信のための装置であって、
第１のデバイスによってピア発見要求を送信する手段と、
前記ピア発見要求を送信した後、少なくとも１つの別のデバイスから、ピア検出信号またはピア発見応答を検出する手段と、
前記第１のデバイスによって、初期レートで、第２のピア検出信号を送信する手段と、
第２のデバイスから第２のピア発見要求を受信する手段と、
前記第２のピア発見要求に応じて、前記第１のデバイスによって、前記初期レートよりも速いレートで、前記第２のピア検出信号を送信する手段とを備える装置。
【請求項３８】
ピア発見をトリガするイベントを検出する手段と、
前記イベントを検出することに応じて、前記ピア発見要求を送信する手段と、
をさらに備える請求項３７に記載の装置。
【請求項３９】
無線通信のための装置であって、
第１のデバイスによってピア発見要求を送信し、
前記ピア発見要求を送信した後、少なくとも１つの別のデバイスから、ピア検出信号またはピア発見応答を検出し、
前記第１のデバイスによって、初期レートで、第２のピア検出信号を送信し、
第２のデバイスから第２のピア発見要求を受信し、
前記第２のピア発見要求に応じて、前記第１のデバイスによって、前記初期レートよりも速いレートで、前記第２のピア検出信号を送信するように構成された少なくとも１つのプロセッサ、
を備える装置。
【請求項４０】
前記少なくとも１つのプロセッサは、
ピア発見をトリガするイベントを検出し、
前記イベントを検出することに応じて、前記ピア発見要求を送信する
ように構成された、請求項３９に記載の装置。
【請求項４１】
コンピュータ・プログラム製品であって、
少なくとも１つのプロセッサに対して、第１のデバイスによってピア発見要求を送信させるためのコードと、
前記少なくとも１つのプロセッサに対して、前記ピア発見要求を送信した後、少なくとも１つの別のデバイスから、ピア検出信号またはピア発見応答を検出させるためのコードと、
前記少なくとも１つのプロセッサに対して、前記第１のデバイスによって、初期レートで、第２のピア検出信号を送信させるためのコードと、
前記少なくとも１つのプロセッサに対して、第２のデバイスから第２のピア発見要求を受信させるためのコード、
前記少なくとも１つのプロセッサに対して、前記第２のピア発見要求に応じて、前記第１のデバイスによって、前記初期レートよりも速いレートで、前記第２のピア検出信号を送信させるためのコードと
を備える非一時的なコンピュータ読取可能な媒体、を備えるコンピュータ・プログラム製品。
【請求項４２】
無線通信のための方法であって、
デバイスによって、ダウンリンク・スペクトルに基づいて、第１のピア発見を実行することと、
前記デバイスによって、アップリンク・スペクトルに基づいて、第２のピア発見を実行することと、
を備え、
前記第２のピア発見を実行することは、
前記デバイスによってピア発見要求を少なくとも１つの別のピアデバイスに送信することと、
前記ピア発見要求を送信した後、前記少なくとも１つの別のピアデバイスからのピア検出信号を前記アップリンク・スペクトルにおいて検出することと
を備える方法。
【請求項４３】
前記第１のピア発見を実行することは、前記デバイスを前記少なくとも１つの別のピアデバイスが検出できるようにするために、前記デバイスによって、時折、前記ダウンリンク・スペクトルで、ピア検出信号を送信することを備える、請求項４２に記載の方法。
【請求項４４】
前記第１のピア発見を実行することは、前記少なくとも１つの別のピアデバイスからのピア検出信号を、前記ダウンリンク・スペクトルにおいて時折検出することを備える、請求項４２に記載の方法。
【請求項４５】
前記第２のピア発見を実行することは、
ピア発見を実行せよとの通知を、ディレクトリ・エージェントから受信することと、  前記通知に応じて、前記アップリンク・スペクトルで、前記第２のピア発見を実行することと
を備える、請求項４２に記載の方法。
【請求項４６】
無線通信のための装置であって、
デバイスによって、ダウンリンク・スペクトルに基づいて、第１のピア発見を実行する手段と、
前記デバイスによって、アップリンク・スペクトルに基づいて、第２のピア発見を実行する手段と、
を備え、
前記第２のピア発見を実行する手段が、
前記デバイスによってピア発見要求を少なくとも１つの別のピアデバイスに送信し、
前記ピア発見要求を送信した後、前記少なくとも１つの別のピアデバイスからのピア検出信号を前記アップリンク・スペクトルにおいて検出するように構成されている装置。
【請求項４７】
前記第１のピア発見を実行する手段は、前記デバイスを前記少なくとも１つの別のピアデバイスが検出できるようにするために、前記デバイスによって、時折、前記ダウンリンク・スペクトルで、ピア検出信号を送信する手段を備える、請求項４６に記載の装置。
【請求項４８】
無線通信のための装置であって、
デバイスによって、ダウンリンク・スペクトルに基づいて、第１のピア発見を実行し、前記デバイスによって、アップリンク・スペクトルに基づいて、第２のピア発見を実行するように構成された少なくとも１つのプロセッサ、を備え、
前記第２のピア発見を実行するように構成された前記少なくとも１つのプロセッサが
前記デバイスによってピア発見要求を少なくとも１つの別のピアデバイスに送信し、
前記ピア発見要求を送信した後、前記少なくとも１つの別のピアデバイスからのピア検出信号を前記アップリンク・スペクトルにおいて検出するように構成されている装置。
【請求項４９】
前記少なくとも１つのプロセッサは、前記デバイスを前記少なくとも１つの別のピアデバイスが検出できるようにするために、前記デバイスによって、時折、前記ダウンリンク・スペクトルで、ピア検出信号を送信するように構成された、請求項４８に記載の装置。
【請求項５０】
コンピュータ・プログラム製品であって、
少なくとも１つのプロセッサに対して、デバイスによって、ダウンリンク・スペクトルに基づいて、第１のピア発見を実行させるためのコードと、
前記少なくとも１つのプロセッサに対して、前記デバイスによって、アップリンク・スペクトルに基づいて、第２のピア発見を実行させるためのコードと
を備え、
前記少なくとも１つのプロセッサに対して、第２のピア発見を実行させるためのコードが、
前記デバイスによってピア発見要求を少なくとも１つの別のピアデバイスに送信し、
前記ピア発見要求を送信した後、前記少なくとも１つの別のピアデバイスからのピア検出信号を前記アップリンク・スペクトルにおいて検出するように構成されている非一時的なコンピュータ読取可能な媒体、を備えるコンピュータ・プログラム製品。
【請求項５１】
無線通信のための方法であって、
ピア発見のために使用される少なくとも１つの信号を生成することと、
デバイスを別のデバイスが検出することを可能にするために、前記デバイスによって、前記少なくとも１つの信号からなる複数の送信を送ることと、
を備え、
前記少なくとも１つの信号は、ビーコン信号を備え、
前記少なくとも１つの信号からなる複数の送信は、複数のビーコン・シンボルに対応し、
各ビーコン・シンボルは、前記ビーコン信号に利用可能な複数のサブキャリアに指定された少なくとも１つのサブキャリアにおける送信電力と、前記複数のサブキャリアのうちの残りのサブキャリアにおける無送信電力とを含む方法。
【請求項５２】
前記少なくとも１つの信号は、一次同期信号、または二次同期信号、または基準信号、またはこれらの組み合わせを備える、請求項５１に記載の方法。
【請求項５３】
信号のセットが、ピア発見のために利用可能であり、
前記複数の送信のおのおのは、前記信号のセットにおける１つの信号の送信に対応し、  前記少なくとも１つの信号からなる複数の送信は、前記信号のセットから選択された信号のシーケンスの送信に対応する、請求項５１に記載の方法。
【請求項５４】
前記少なくとも１つの信号からなる複数の送信は、システム情報ブロック（ＳＩＢ）、またはマスタ情報ブロック（ＭＩＢ）、または物理ダウンリンク共有チャネル（ＰＤＳＣＨ）からなる複数の送信に対応する、請求項５１に記載の方法。
【請求項５５】
無線通信のための装置であって、
ピア発見のために使用される少なくとも１つの信号を生成する手段と、
デバイスを少なくとも１つの別のデバイスが検出することを可能にするために、前記デバイスによって、前記少なくとも１つの信号からなる複数の送信を送る手段と、
を備え、
前記少なくとも１つの信号は、ビーコン信号を備え、
前記少なくとも１つの信号からなる複数の送信は、複数のビーコン・シンボルに対応し、
各ビーコン・シンボルは、前記ビーコン信号に利用可能な複数のサブキャリアに指定された少なくとも１つのサブキャリアにおける送信電力と、前記複数のサブキャリアのうちの残りのサブキャリアにおける無送信電力とを含む装置。
【請求項５６】
前記少なくとも１つの信号は、ビーコン信号、または一次同期信号、または二次同期信号、または基準信号、またはこれらの組み合わせを備える、請求項５５に記載の装置。
【請求項５７】
無線通信のための装置であって、
ピア発見のために使用される少なくとも１つの信号を生成し、
デバイスを少なくとも１つの別のデバイスが検出することを可能にするために、前記デバイスによって、前記少なくとも１つの信号からなる複数の送信を送る
ように構成された少なくとも１つのプロセッサ、を備える装置。
【請求項５８】
前記少なくとも１つの信号は、ビーコン信号、または一次同期信号、または二次同期信号、または基準信号、またはこれらの組み合わせを備える、請求項５７に記載の装置。
【請求項５９】
コンピュータ・プログラム製品であって、
少なくとも１つのプロセッサに対して、ピア発見のために使用される少なくとも１つの信号を生成させるためのコードと、
前記少なくとも１つのコンピュータに対して、デバイスを別のデバイスが検出することを可能にするために、前記デバイスによって、前記少なくとも１つの信号からなる複数の送信を送らせるためのコードとを備え、
前記少なくとも１つの信号は、ビーコン信号を備え、
前記少なくとも１つの信号からなる複数の送信は、複数のビーコン・シンボルに対応し、
各ビーコン・シンボルは、前記ビーコン信号に利用可能な複数のサブキャリアに指定された少なくとも１つのサブキャリアにおける送信電力と、前記複数のサブキャリアのうちの残りのサブキャリアにおける無送信電力とを含む非一時的なコンピュータ読取可能な媒体、を備えるコンピュータ・プログラム製品。
【手続補正２】
【補正対象書類名】明細書
【補正対象項目名】００８３
【補正方法】変更
【補正の内容】
【００８３】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
［Ｃ１］
無線通信のための方法であって、
デバイスによって第１のピア発見を自律的に実行することと、
前記デバイスによって、ネットワーク支援を用いて、第２のピア発見を実行することと、
を備える方法。
［Ｃ２］
前記第１のピア発見を実行することは、前記デバイスを少なくとも１つの別のデバイスが検出できるようにするために、前記デバイスによって、時折、ピア検出信号を送信することを備える、Ｃ１に記載の方法。
［Ｃ３］
前記第１のピア発見を実行することは、前記デバイスによって、少なくとも１つの別のデバイスからのピア検出信号を時折検出することを備える、Ｃ１に記載の方法。
［Ｃ４］
前記第２のピア発見を実行することは、
前記デバイスによってディレクトリ・エージェントに登録することと、
前記ディレクトリ・エージェントによって通知された場合、前記第２のピア発見を実行することと
を備える、Ｃ１に記載の方法。
［Ｃ５］
前記第２のピア発見を実行することはさらに、
前記デバイスによって要求または提供されるサービスを示す情報を、前記ディレクトリ・エージェントへ送信することと、
前記デバイスと、少なくとも１つの別のデバイスとの間のマッチングの通知を、前記ディレクトリ・エージェントから受信することと、
前記マッチングの通知を前記ディレクトリ・エージェントから受信することに応じて、前記第２のピア発見を実行することと
を備える、Ｃ４に記載の方法。
［Ｃ６］
前記第２のピア発見を実行することは、
少なくとも１つの別のデバイスからピア発見要求を受信することと、
前記ピア発見要求に対する応答を、無線ネットワークを介して送信することと
を備える、Ｃ１に記載の方法。
［Ｃ７］
無線通信のための装置であって、
デバイスによって第１のピア発見を自律的に実行する手段と、
前記デバイスによって、ネットワーク支援を用いて、第２のピア発見を実行する手段と、
を備える装置。
［Ｃ８］
前記第１のピア発見を実行する手段は、前記デバイスを少なくとも１つの別のデバイスが検出できるようにするために、前記デバイスによって、時折、ピア検出信号を送信する手段を備える、Ｃ７に記載の装置。
［Ｃ９］
前記第１のピア発見を実行する手段は、前記デバイスによって、少なくとも１つの別のデバイスからのピア検出信号を、時折検出する手段を備える、Ｃ７に記載の装置。
［Ｃ１０］
前記第２のピア発見を実行する手段は、
前記デバイスによってディレクトリ・エージェントに登録する手段と、
前記ディレクトリ・エージェントによって通知された場合、前記第２のピア発見を実行する手段と
を備える、Ｃ７に記載の装置。
［Ｃ１１］
無線通信のための装置であって、
デバイスによって第１のピア発見を自律的に実行し、
前記デバイスによって、ネットワーク支援を用いて、第２のピア発見を実行する
ように構成された少なくとも１つのプロセッサ、
を備える装置。
［Ｃ１２］
前記少なくとも１つのプロセッサは、前記デバイスを少なくとも１つの別のデバイスが検出できるようにするために、前記デバイスによって、時折、ピア検出信号を送信するように構成された、Ｃ１１に記載の装置。
［Ｃ１３］
前記少なくとも１つのプロセッサは、前記デバイスによって、少なくとも１つの別のデバイスからのピア検出信号を、時折検出するように構成された、Ｃ１１に記載の装置。
［Ｃ１４］
前記少なくとも１つのプロセッサは、
前記デバイスによってディレクトリ・エージェントに登録し、
前記ディレクトリ・エージェントによって通知された場合、前記第２のピア発見を実行する
ように構成された、Ｃ１１に記載の装置。
［Ｃ１５］
コンピュータ・プログラム製品であって、
少なくとも１つのプロセッサに対して、デバイスによる第１のピア発見を自律的に実行させるためのコードと、
前記少なくとも１つのプロセッサに対して、前記デバイスによる、ネットワーク支援を用いた第２のピア発見を実行させるためのコードと
を備えるコンピュータ読取可能な媒体、を備えるコンピュータ・プログラム製品。
［Ｃ１６］
無線通信のための方法であって、
デバイスによって、プッシュ・モードに基づいて、第１のピア発見を実行することと、  前記デバイスによって、プル・モードに基づいて、第２のピア発見を実行することと、を備える方法。
［Ｃ１７］
前記第１のピア発見を実行することは、前記デバイスを少なくとも１つの別のデバイスが検出できるようにするために、前記デバイスによって、時折、ピア検出信号を送信することを備える、Ｃ１６に記載の方法。
［Ｃ１８］
前記第１のピア発見を実行することは、前記デバイスによって、少なくとも１つの別のデバイスからのピア検出信号を、時折検出することを備える、Ｃ１６に記載の方法。
［Ｃ１９］
前記第２のピア発見を実行することは、
前記デバイスによってピア発見要求を送信することと、
前記ピア発見要求を送信した後、少なくとも１つの別のデバイスから、ピア検出信号またはピア発見応答を検出することと
を備える、Ｃ１６に記載の方法。
［Ｃ２０］
前記第２のピア発見を実行することは、
少なくとも１つの別のデバイスからピア発見要求を受信することと、
前記ピア発見要求に応じて、前記デバイスによってピア検出信号を送信することと
を備える、Ｃ１６に記載の方法。
［Ｃ２１］
前記第１のピア発見を実行することは、前記デバイスによって第１のレートでピア検出信号を送信することを備え、
前記第２のピア発見を実行することは、
少なくとも１つの別のデバイスからピア発見要求を受信することと、
前記ピア発見要求に応じて、前記デバイスによって、前記第１のレートよりも速いレートで、前記ピア検出信号を送信することと
を備える、Ｃ１６に記載の方法。
［Ｃ２２］
前記第２のピア発見を実行することは、
少なくとも１つの別のデバイスからピア発見要求を受信することと、
前記ピア発見要求に対する応答を、無線ネットワークを介して送信することと
を備える、Ｃ１６に記載の方法。
［Ｃ２３］
前記第１のピア発見と前記第２のピア発見とは、前記デバイスによって自律的に実行される、Ｃ１６に記載の方法。
［Ｃ２４］
前記第１のピア発見は、前記デバイスによって自律的に実行され、
前記第２のピア発見は、前記デバイスによって、ネットワーク支援を用いて実行される、
Ｃ１６に記載の方法。
［Ｃ２５］
前記第１のピア発見を実行することは、前記第１のピア発見を、ダウンリンク・スペクトルにおいて実行することを備え、
前記第２のピア発見を実行することは、前記第２のピア発見を、アップリンク・スペクトルにおいて実行することを備える、Ｃ１６に記載の方法。
［Ｃ２６］
無線通信のための装置であって、
デバイスによって、プッシュ・モードに基づいて、第１のピア発見を実行する手段と、  前記デバイスによって、プル・モードに基づいて、第２のピア発見を実行する手段と、を備える装置。
［Ｃ２７］
前記第１のピア発見を実行する手段は、前記デバイスを少なくとも１つの別のデバイスが検出できるようにするために、前記デバイスによって、時折、ピア検出信号を送信する手段を備える、Ｃ２６に記載の装置。
［Ｃ２８］
前記第１のピア発見を実行する手段は、前記デバイスによって、少なくとも１つの別のデバイスからのピア検出信号を、時折検出する手段を備える、Ｃ２６に記載の装置。
［Ｃ２９］
前記第２のピア発見を実行する手段は、
前記デバイスによってピア発見要求を送信する手段と、
前記ピア発見要求を送信した後、少なくとも１つの別のデバイスから、ピア検出信号またはピア発見応答を検出する手段と
を備える、Ｃ２６に記載の装置。
［Ｃ３０］
前記第２のピア発見を実行する手段は、
少なくとも１つの別のデバイスからピア発見要求を受信する手段と、
前記ピア発見要求に応じて、前記デバイスによってピア検出信号を送信する手段と
を備える、Ｃ２６に記載の装置。
［Ｃ３１］
無線通信のための装置であって、
デバイスによって、プッシュ・モードに基づいて、第１のピア発見を実行し、
前記デバイスによって、プル・モードに基づいて、第２のピア発見を実行する
ように構成された少なくとも１つのプロセッサ、を備える装置。
［Ｃ３２］
前記少なくとも１つのプロセッサは、前記デバイスを少なくとも１つの別のデバイスが検出できるようにするために、前記デバイスによって、時折、ピア検出信号を送信するように構成された、Ｃ３１に記載の装置。
［Ｃ３３］
前記少なくとも１つのプロセッサは、前記デバイスによって、少なくとも１つの別のデバイスからのピア検出信号を、時折検出するように構成された、Ｃ３１に記載の装置。
［Ｃ３４］
前記少なくとも１つのプロセッサは、
前記デバイスによってピア発見要求を送信し、
前記ピア発見要求を送信した後、少なくとも１つの別のデバイスから、ピア検出信号またはピア発見応答を検出する
ように構成された、Ｃ３１に記載の装置。
［Ｃ３５］
前記少なくとも１つのプロセッサは、
少なくとも１つの別のデバイスからピア発見要求を受信し、
前記ピア発見要求に応じて、前記デバイスによってピア検出信号を送信する
ように構成された、Ｃ３１に記載の装置。
［Ｃ３６］
コンピュータ・プログラム製品であって、
少なくとも１つのプロセッサに対して、デバイスによって、プッシュ・モードに基づいて、第１のピア発見を実行させるためのコードと、
前記少なくとも１つのプロセッサに対して、前記デバイスによって、プル・モードに基づいて、第２のピア発見を実行させるためのコードと
を備える非一時的なコンピュータ読取可能な媒体、を備えるコンピュータ・プログラム製品。
［Ｃ３７］
無線通信のための方法であって、
第１のデバイスによってピア発見要求を送信することと、
前記ピア発見要求を送信した後、少なくとも１つの別のデバイスから、ピア検出信号またはピア発見応答を検出することと、
を備える方法。
［Ｃ３８］
ピア発見をトリガするイベントを検出することと、
前記イベントを検出することに応じて、前記ピア発見要求を送信することと、
をさらに備えるＣ３７に記載の方法。
［Ｃ３９］
前記ピア発見をトリガするイベントは、前記第１のデバイスの位置の変化、または前記第１のデバイスでアプリケーションがアクティブになること、またはディレクトリ・エージェントから、マッチングの通知を受信すること、またはこれらの組み合わせに対応する、Ｃ３８に記載の方法。
［Ｃ４０］
前記ピア検出信号または前記ピア発見応答を検出することは、前記ピア発見要求に応じて、前記少なくとも１つの別のデバイスによってネットワークを介して送信された前記ピア発見応答を受信することを備える、Ｃ３７に記載の方法。
［Ｃ４１］
第２のデバイスから第２のピア発見要求を受信することと、
前記第２のピア発見要求に応じて、前記第１のデバイスによって、第２のピア検出信号を送信することと、
をさらに備えるＣ３７に記載の方法。
［Ｃ４２］
前記第１のデバイスによって、初期レートで、第２のピア検出信号を送信することと、  第２のデバイスから第２のピア発見要求を受信することと、
前記第２のピア発見要求に応じて、前記第１のデバイスによって、前記初期レートよりも速いレートで、前記第２のピア検出信号を送信することと、
をさらに備えるＣ３７に記載の方法。
［Ｃ４３］
無線通信のための装置であって、
第１のデバイスによってピア発見要求を送信する手段と、
前記ピア発見要求を送信した後、少なくとも１つの別のデバイスから、ピア検出信号またはピア発見応答を検出する手段と、
を備える装置。
［Ｃ４４］
ピア発見をトリガするイベントを検出する手段と、
前記イベントを検出することに応じて、前記ピア発見要求を送信する手段と、
をさらに備えるＣ４３に記載の装置。
［Ｃ４５］
第２のデバイスから第２のピア発見要求を受信する手段と、
前記第２のピア発見要求に応じて、前記第１のデバイスによって、第２のピア検出信号を送信する手段と、
をさらに備えるＣ４３に記載の装置。
［Ｃ４６］
無線通信のための装置であって、
第１のデバイスによってピア発見要求を送信し、
前記ピア発見要求を送信した後、少なくとも１つの別のデバイスから、ピア検出信号またはピア発見応答を検出する
ように構成された少なくとも１つのプロセッサ、
を備える装置。
［Ｃ４７］
前記少なくとも１つのプロセッサは、
ピア発見をトリガするイベントを検出し、
前記イベントを検出することに応じて、前記ピア発見要求を送信する
ように構成された、Ｃ４６に記載の装置。
［Ｃ４８］
前記少なくとも１つのプロセッサは、
第２のデバイスから第２のピア発見要求を受信し、
前記第２のピア発見要求に応じて、前記第１のデバイスによって、第２のピア検出信号を送信する
ように構成された、Ｃ４６に記載の装置。
［Ｃ４９］
コンピュータ・プログラム製品であって、
少なくとも１つのプロセッサに対して、第１のデバイスによってピア発見要求を送信させるためのコードと、
前記少なくとも１つのプロセッサに対して、前記ピア発見要求を送信した後、少なくとも１つの別のデバイスから、ピア検出信号またはピア発見応答を検出させるためのコードと
を備える非一時的なコンピュータ読取可能な媒体、を備えるコンピュータ・プログラム製品。
［Ｃ５０］
無線通信のための方法であって、
デバイスによって、ダウンリンク・スペクトルに基づいて、第１のピア発見を実行することと、
前記デバイスによって、アップリンク・スペクトルに基づいて、第２のピア発見を実行することと、
を備える方法。
［Ｃ５１］
前記第１のピア発見を実行することは、前記デバイスを少なくとも１つの別のデバイスが検出できるようにするために、前記デバイスによって、時折、前記ダウンリンク・スペクトルで、ピア検出信号を送信することを備える、Ｃ５０に記載の方法。
［Ｃ５２］
前記第１のピア発見を実行することは、少なくとも１つの別のデバイスからのピア検出信号を、前記ダウンリンク・スペクトルにおいて時折検出することを備える、Ｃ５０に記載の方法。
［Ｃ５３］
前記第２のピア発見を実行することは、
前記デバイスによってピア発見要求を送信することと、
前記ピア発見要求を送信した後、少なくとも１つの別のデバイスからのピア検出信号を前記アップリンク・スペクトルにおいて検出することと
を備える、Ｃ５０に記載の方法。
［Ｃ５４］
前記第２のピア発見を実行することは、
ピア発見を実行せよとの通知を、ディレクトリ・エージェントから受信することと、  前記通知に応じて、前記アップリンク・スペクトルで、前記第２のピア発見を実行することと
を備える、Ｃ５０に記載の方法。
［Ｃ５５］
無線通信のための装置であって、
デバイスによって、ダウンリンク・スペクトルに基づいて、第１のピア発見を実行する手段と、
前記デバイスによって、アップリンク・スペクトルに基づいて、第２のピア発見を実行する手段と、
を備える装置。
［Ｃ５６］
前記第１のピア発見を実行する手段は、前記デバイスを少なくとも１つの別のデバイスが検出できるようにするために、前記デバイスによって、時折、前記ダウンリンク・スペクトルで、ピア検出信号を送信する手段を備える、Ｃ５５に記載の装置。
［Ｃ５７］
前記第２のピア発見を実行する手段は、
前記デバイスによってピア発見要求を送信する手段と、
前記ピア発見要求を送信した後、少なくとも１つの別のデバイスからのピア検出信号を前記アップリンク・スペクトルにおいて検出する手段と
を備える、Ｃ５５に記載の装置。
［Ｃ５８］
無線通信のための装置であって、
デバイスによって、ダウンリンク・スペクトルに基づいて、第１のピア発見を実行し、  前記デバイスによって、アップリンク・スペクトルに基づいて、第２のピア発見を実行する
ように構成された少なくとも１つのプロセッサ、を備える装置。
［Ｃ５９］
前記少なくとも１つのプロセッサは、前記デバイスを少なくとも１つの別のデバイスが検出できるようにするために、前記デバイスによって、時折、前記ダウンリンク・スペクトルで、ピア検出信号を送信するように構成された、Ｃ５８に記載の装置。
［Ｃ６０］
前記少なくとも１つのプロセッサは、
前記デバイスによってピア発見要求を送信し、
前記ピア発見要求を送信した後、少なくとも１つの別のデバイスからのピア検出信号を前記アップリンク・スペクトルにおいて検出する
ように構成された、Ｃ５８に記載の装置。
［Ｃ６１］
コンピュータ・プログラム製品であって、
少なくとも１つのプロセッサに対して、デバイスによって、ダウンリンク・スペクトルに基づいて、第１のピア発見を実行させるためのコードと、
前記少なくとも１つのプロセッサに対して、前記デバイスによって、アップリンク・スペクトルに基づいて、第２のピア発見を実行させるためのコードと
を備える非一時的なコンピュータ読取可能な媒体、を備えるコンピュータ・プログラム製品。
［Ｃ６２］
無線通信のための方法であって、
ピア発見のために使用される少なくとも１つの信号を生成することと、
デバイスを別のデバイスが検出することを可能にするために、前記デバイスによって、前記少なくとも１つの信号からなる複数の送信を送ることと、
を備える方法。
［Ｃ６３］
前記少なくとも１つの信号は、ビーコン信号を備える、Ｃ６２に記載の方法。
［Ｃ６４］
前記少なくとも１つの信号からなる複数の送信は、複数のビーコン・シンボルに対応し、
各ビーコン・シンボルは、前記ビーコン信号に利用可能な複数のサブキャリアに指定された少なくとも１つのサブキャリアにおける送信電力と、前記複数のサブキャリアのうちの残りのサブキャリアにおける無送信電力とを含む、Ｃ６３に記載の方法。
［Ｃ６５］
前記少なくとも１つの信号は、一次同期信号、または二次同期信号、または基準信号、またはこれらの組み合わせを備える、Ｃ６２に記載の方法。
［Ｃ６６］
信号のセットが、ピア発見のために利用可能であり、
前記複数の送信のおのおのは、前記信号のセットにおける１つの信号の送信に対応し、  前記少なくとも１つの信号からなる複数の送信は、前記信号のセットから選択された信号のシーケンスの送信に対応する、Ｃ６２に記載の方法。
［Ｃ６７］
前記少なくとも１つの信号からなる複数の送信は、システム情報ブロック（ＳＩＢ）、またはマスタ情報ブロック（ＭＩＢ）、または物理ダウンリンク共有チャネル（ＰＤＳＣＨ）からなる複数の送信に対応する、Ｃ６２に記載の方法。
［Ｃ６８］
無線通信のための装置であって、
ピア発見のために使用される少なくとも１つの信号を生成する手段と、
デバイスを少なくとも１つの別のデバイスが検出することを可能にするために、前記デバイスによって、前記少なくとも１つの信号からなる複数の送信を送る手段と、
を備える装置。
［Ｃ６９］
前記少なくとも１つの信号は、ビーコン信号、または一次同期信号、または二次同期信号、または基準信号、またはこれらの組み合わせを備える、Ｃ６８に記載の装置。
［Ｃ７０］
無線通信のための装置であって、
ピア発見のために使用される少なくとも１つの信号を生成し、
デバイスを少なくとも１つの別のデバイスが検出することを可能にするために、前記デバイスによって、前記少なくとも１つの信号からなる複数の送信を送る
ように構成された少なくとも１つのプロセッサ、を備える装置。
［Ｃ７１］
前記少なくとも１つの信号は、ビーコン信号、または一次同期信号、または二次同期信号、または基準信号、またはこれらの組み合わせを備える、Ｃ７０に記載の装置。
［Ｃ７２］
コンピュータ・プログラム製品であって、
少なくとも１つのプロセッサに対して、ピア発見のために使用される少なくとも１つの信号を生成させるためのコードと、
前記少なくとも１つのコンピュータに対して、デバイスを別のデバイスが検出することを可能にするために、前記デバイスによって、前記少なくとも１つの信号からなる複数の送信を送らせるためのコードと
を備える非一時的なコンピュータ読取可能な媒体、を備えるコンピュータ・プログラム製品。
【国際調査報告】
2013539615.tif 000015
2013539615.tif 000016
2013539615.tif 000017
2013539615.tif 000018
2013539615.tif 000019
2013539615.tif 000020